(57)【要約】  データ伝送方法および装置が開示される。方法は、第１伝送デバイスがデータフレームシーケンスを生成する段階であって、前記第１データフレームシーケンスは第１データフレームを含み、前記第１データフレームは切り替え間隔を含み、前記切り替え間隔は第１識別情報を含み、前記第１データフレームは第１データ周期に対応する、段階と、前記第１伝送デバイスが、前記第１データ周期内にビーム調整要求が受信されるかどうかを検出し、前記ビーム調整要求が受信される場合に、前記第１データフレームの前記切り替え間隔内の前記第１識別情報を無効に設定する、または、ビーム調整要求が受信されない場合に、前記第１識別情報を有効に設定する段階と、前記第１伝送デバイスが前記第１データフレームを送信する段階とを含む。この方法では、識別情報が配置される間隔内のデータの有効性を示すために識別情報がデータフレームに設定される。その結果、一端のデバイスが、受信および送信された識別情報に基づいて他端のデバイスの伝送状態を独立して認識し、当該状態に基づいて、対応するアクションを実行し、これにより、伝送遅延が減少し、ビーム切り替え効率が高まる。
2021503213.tif 000002
【特許請求の範囲】
【請求項１】
データ伝送方法であって、
第１伝送デバイスが第１データフレームシーケンスを生成する段階であって、前記第１データフレームシーケンスは第１データフレームを含み、前記第１データフレームは切り替え間隔を含み、前記切り替え間隔は第１識別情報を含み、前記第１データフレームは第１データ周期に対応する、段階と、
前記第１伝送デバイスが、前記第１データ周期内にビーム調整要求が受信されるかどうかを検出し、前記ビーム調整要求が受信される場合に、前記第１データフレームの前記切り替え間隔内の前記第１識別情報を無効に設定する、または、ビーム調整要求が受信されない場合に、前記第１識別情報を有効に設定する段階と、
前記第１伝送デバイスが前記第１データフレームを送信する段階と
を備える方法。
【請求項２】
前記切り替え間隔は第１間隔ヘッダおよび第１ペイロード領域を含み、前記第１識別情報は前記第１間隔ヘッダに配置され、前記第１識別情報は、前記第１識別情報が配置される前記切り替え間隔の前記第１ペイロード領域内のデータの有効性を示すために使用され、
前記第１データフレームを送信する前記段階の前に、前記方法は更に、
前記ビーム調整要求を受信するときに、前記第１伝送デバイスが前記第１データフレームの前記第１ペイロード領域に無効なデータを満たし、前記第１データ周期内にビーム調整を実行する段階、または、
前記第１データ周期内にビーム調整要求を受信しないときに、前記第１データフレームの前記第１ペイロード領域に有効なデータを満たす段階
を備える、
請求項１に記載の方法。
【請求項３】
前記第１データフレームは更に保護間隔を含み、前記保護間隔は第２間隔ヘッダおよび第２ペイロード領域を含み、前記第２間隔ヘッダは第２識別情報を含み、前記第２識別情報は、前記第１データフレームの前記第２ペイロード領域内のデータの有効性を示すために使用され、
前記第１伝送デバイスが前記第１データフレームを送信する前記段階の前に、前記方法は更に、
前記第１データフレーム内の前記第２識別情報の有効性を設定する段階
を備える、
請求項１に記載の方法。
【請求項４】
前記第１伝送デバイスが第１ネットワークデバイスに配置され、かつ、前記第１ネットワークデバイスが更に第１受信デバイスを含むときに、前記第１データフレーム内の前記第２識別情報の有効性を設定する前記段階は、
前記第１伝送デバイスが伝送遅延および／または位置情報に基づいて第１対象切り替え間隔を決定することであって、前記第１対象切り替え間隔は前記第１データフレームの前のＮ番目のデータフレームの切り替え間隔であるか、または前記第１データフレームの前記切り替え間隔であり、Ｎ≧１である、決定すること、および、第１データ移行要求が前記第１受信デバイスから受信され、かつ、前記第１対象切り替え間隔内の第１識別情報が有効である場合に、前記第１データフレームの前記保護間隔内の前記第２識別情報を無効に設定すること、そうでなければ、前記第２識別情報を有効に設定することを行う段階、または、
前記第１伝送デバイスが伝送遅延および／または位置情報に基づいて第１対象切り替え間隔を決定することであって、前記第１対象切り替え間隔は前記第１データフレームの前のＮ番目のデータフレームの切り替え間隔であるか、または前記第１データフレームの前記切り替え間隔であり、Ｎ≧１である、決定すること、および、前記第１受信デバイスから受信された第１データ移行要求内の第１データ移行識別子が真であり、かつ、前記第１対象切り替え間隔内の第１識別情報が有効である場合に、前記第１データフレームの前記保護間隔内の前記第２識別情報を無効に設定すること、そうでなければ、前記第２識別情報を有効に設定することを行う段階
を有する、請求項３に記載の方法。
【請求項５】
前記第１データフレーム内の前記第２識別情報が無効であるときに、前記第１伝送デバイスが前記第１データフレームの前記保護間隔の前記第２ペイロード領域に前記第１対象切り替え間隔の第１ペイロード領域内のデータを移行する段階であって、前記第１データフレームの前記第２ペイロード領域の長さは前記第１対象切り替え間隔の前記第１ペイロード領域の長さより長いか等しい、段階
を更に備える請求項４に記載の方法。
【請求項６】
前記第１伝送デバイスが第１ネットワークデバイスに配置され、第２ネットワークデバイスが更に含まれ、かつ、前記第２ネットワークデバイスが第２受信デバイスを含むときに、前記第１データフレーム内の前記第２識別情報の有効性を設定する前記段階は、
前記第２受信デバイスから第２データ移行要求を受信するときに、前記第１伝送デバイスが前記第１データフレーム内の前記第２識別情報を無効に設定し、そうでなければ、前記第２識別情報を有効に設定する段階、または、
第２データ移行要求を受信し、かつ、前記第２データ移行要求に保持される第２データ移行識別子が真であるときに、前記第１伝送デバイスが前記第１データフレーム内の前記第２識別情報を無効に設定し、そうでなければ、前記第２識別情報を有効に設定する段階
を有する、請求項３に記載の方法。
【請求項７】
前記第１データフレーム内の前記第２識別情報が無効であるときに、前記第１伝送デバイスが伝送遅延および／または位置情報に基づいて第１対象切り替え間隔を決定する段階であって、前記第１対象切り替え間隔は前記第１データフレームの前のＮ番目のデータフレームの切り替え間隔であるか、または前記第１データフレームの前記切り替え間隔であり、Ｎ≧１である、段階と、
前記第１データフレームの前記保護間隔の前記第２ペイロード領域に前記第１対象切り替え間隔の第１ペイロード領域内のデータを移行する段階であって、前記第１データフレームの前記第２ペイロード領域の長さは前記第１対象切り替え間隔の前記第１ペイロード領域の長さより長いか等しい、段階と
を更に備える請求項６に記載の方法。
【請求項８】
開始命令を受信するときに、前記第１伝送デバイスが、前記第１データフレームの前記第２ペイロード領域に前記第１対象切り替え間隔の前記第１ペイロード領域内の前記データを移行することから開始して、移行すべきデータを各データフレームに対応する保護間隔の第２ペイロード領域に移行する段階と、
停止命令を受信するときに、前記第１伝送デバイスが次のデータフレームから開始するデータ移行を停止する段階と
を更に備える請求項５または７に記載の方法。
【請求項９】
データ伝送方法であって、
第１受信デバイスが第２データフレームシーケンスを受信する段階であって、前記第２データフレームシーケンスは第２データフレームを含み、前記第２データフレームは切り替え間隔を含み、前記切り替え間隔は第１識別情報を含む、段階と、
前記第１受信デバイスが、前記第２データフレーム内の前記第１識別情報が有効であるかどうかを検出し、前記第１識別情報が無効である場合に、第１データ移行要求を生成する段階と、
前記第１受信デバイスが、第１伝送デバイスに前記第１データ移行要求を送信する段階であって、前記第１伝送デバイスおよび前記第１受信デバイスは第１ネットワークデバイスに配置される、段階と
を備える方法。
【請求項１０】
前記第２データフレーム内の前記第１識別情報が有効であることを前記第１受信デバイスが検出する場合に、ビーム調整要求が受信されるかどうかを前記第２データフレームに対応する第２データ周期内に検出する段階、および、
前記ビーム調整要求が受信される場合に、前記第２データフレームの前記切り替え間隔の第１ペイロード領域内のデータを破棄し、受信されるデータ移行識別子を前記第２データフレームの前記切り替え間隔に設定する段階、または、
ビーム調整要求が受信されない場合に、前記第２データ周期内にデータを受信し続ける段階
を更に備える請求項９に記載の方法。
【請求項１１】
前記第２データフレームは更に保護間隔を含み、前記保護間隔は第２間隔ヘッダおよび第２ペイロード領域を含み、前記第２間隔ヘッダは第２識別情報を含み、前記第２識別情報は、前記第２識別情報が配置される前記保護間隔の前記第２ペイロード領域内のデータの有効性を示すために使用され、
前記方法は更に、
前記第１受信デバイスが、前記第２データフレームの前記保護間隔内の前記第２識別情報が有効であるかどうかを検出する段階、および、
前記第２識別情報が有効である場合に、前記第２データフレームの前記第２ペイロード領域内の前記データを受信する段階、または、
前記第２識別情報が無効である場合に、前記第２データフレームの前記保護間隔の前の全ての切り替え間隔から第２対象切り替え間隔を検索することであって、前記第２対象切り替え間隔は、前記受信されるデータ移行識別子を有し、かつ、時間の観点から前記第２データフレームの前記保護間隔に最も近い切り替え間隔である、検索すること、および、前記第２対象切り替え間隔の第１ペイロード領域に前記第２データフレームの前記第２ペイロード領域内の前記データを移行することを行う段階
を備える、
請求項１０に記載の方法。
【請求項１２】
データ伝送方法であって、
第２受信デバイスが第１データフレームシーケンスを受信する段階であって、前記第１データフレームシーケンスは第１データフレームを含み、前記第１データフレームは切り替え間隔を含み、前記切り替え間隔は第１識別情報を含む、段階と、
前記第１データフレームの前記切り替え間隔内の前記第１識別情報が有効であるかどうかを検出する段階と、
前記第１識別情報が有効である場合に、前記第１データフレームに対応する第１データ周期内にビーム調整要求が受信されるかどうかを検出する段階と、
前記ビーム調整要求が受信される場合に、第２データ移行要求を生成し、第１伝送デバイスに前記第２データ移行要求を送信すること、および、前記第１データフレームの前記切り替え間隔の第１ペイロード領域内のデータを破棄し、受信されるデータ移行識別子を前記第１データフレームの前記切り替え間隔に設定することを行う段階と
を備え、前記第１伝送デバイスは第１ネットワークデバイスに配置され、前記第２受信デバイスは第２ネットワークデバイスに配置される、
方法。
【請求項１３】
前記第１データフレームは更に保護間隔を含み、前記保護間隔は第２間隔ヘッダおよび第２ペイロード領域を含み、前記第２間隔ヘッダは第２識別情報を含み、前記第２識別情報は、前記第１データフレームの前記第２ペイロード領域内のデータの有効性を示すために使用され、
前記方法は更に、
前記第２受信デバイスが、前記第１データフレーム内の前記第２識別情報が有効であるかどうかを検出する段階、および、
前記第２識別情報が有効である場合に、前記第１データフレームの前記第２ペイロード領域内の前記データを受信し続ける段階、または、
前記第２識別情報が無効である場合に、前記第１データフレームの前記保護間隔の前の全ての切り替え間隔から第１対象切り替え間隔を検索することであって、前記第１対象切り替え間隔は、前記受信されるデータ移行識別子を有し、かつ、時間の観点から前記第１データフレームの前記保護間隔に最も近い切り替え間隔である、検索すること、および、前記第１対象切り替え間隔の第１ペイロード領域に前記第１データフレームの前記第２ペイロード領域内の前記データを移行することを行う段階
を備える、
請求項１２に記載の方法。
【請求項１４】
前記第１データフレームが受信された後に少なくとも１つの連続データフレームに対応するデータ周期内に前記第２受信デバイスが前記ビーム調整要求を受信する場合に、開始命令を生成する段階であって、前記開始命令は、継続的なデータ移行操作を実行するよう前記第１伝送デバイスに命令するために使用される、段階と、
前記第２受信デバイスが前記第１伝送デバイスに前記開始命令を送信する段階と、
前記開始命令が生成された後に少なくとも１つの連続データフレームに対応するデータ周期内に前記第２受信デバイスがビーム調整要求を受信しない場合に、停止命令を生成する段階であって、前記停止命令は、前記継続的なデータ移行操作を停止するよう前記第１伝送デバイスに命令するために使用される、段階と、
前記第２受信デバイスが前記第１伝送デバイスに前記停止命令を送信する段階と
を更に備える請求項１３に記載の方法。
【請求項１５】
第１伝送デバイスを備えるネットワークデバイスであって、
前記第１伝送デバイスは第１処理ユニットおよび第１伝送ユニットを有し、
前記第１処理ユニットは、第１データフレームシーケンスを生成するように構成され、前記第１データフレームシーケンスは第１データフレームを含み、前記第１データフレームは切り替え間隔を含み、前記切り替え間隔は第１識別情報を含み、前記第１データフレームは第１データ周期に対応し、
前記第１処理ユニットは更に、前記第１データ周期内にビーム調整要求が受信されるかどうかを検出し、前記ビーム調整要求が受信される場合に、前記第１データフレームの前記切り替え間隔内の前記第１識別情報を無効に設定する、または、ビーム調整要求が受信されない場合に、前記第１識別情報を有効に設定するように構成され、
前記第１伝送ユニットは、前記第１データフレームを送信するように構成される、
ネットワークデバイス。
【請求項１６】
前記切り替え間隔は第１間隔ヘッダおよび第１ペイロード領域を含み、前記第１識別情報は前記第１間隔ヘッダに配置され、前記第１識別情報は、前記第１識別情報が配置される前記切り替え間隔の前記第１ペイロード領域内のデータの有効性を示すために使用され、
前記第１処理ユニットは更に、前記第１データフレームが送信される前に、前記ビーム調整要求を受信するときに、前記第１データフレームの前記第１ペイロード領域に無効なデータを満たし、前記第１データ周期内にビーム調整を実行する、または、前記第１データ周期内にビーム調整要求を受信しないときに、前記第１データフレームの前記第１ペイロード領域に有効なデータを満たすように構成される、
請求項１５に記載のネットワークデバイス。
【請求項１７】
前記第１データフレームは更に保護間隔を含み、前記保護間隔は第２間隔ヘッダおよび第２ペイロード領域を含み、前記第２間隔ヘッダは第２識別情報を含み、前記第２識別情報は、前記第１データフレームの前記第２ペイロード領域内のデータの有効性を示すために使用され、
前記第１処理ユニットは更に、前記第１データフレームが送信される前に、前記第１データフレーム内の前記第２識別情報の有効性を設定するように構成される、
請求項１５に記載のネットワークデバイス。
【請求項１８】
前記ネットワークデバイスは更に第１受信デバイスを備え、前記第１伝送デバイスは更に第１受信ユニットを有し、
前記第１処理ユニットは具体的に、伝送遅延および／または位置情報に基づいて第１対象切り替え間隔を決定すること、および、前記第１受信ユニットが前記第１受信デバイスから第１データ移行要求を受信し、かつ、前記第１対象切り替え間隔内の第１識別情報が有効である場合に、前記第１データフレームの前記保護間隔内の前記第２識別情報を無効に設定すること、そうでなければ、前記第２識別情報を有効に設定することを行うように構成され、前記第１対象切り替え間隔は前記第１データフレームの前のＮ番目のデータフレームの切り替え間隔であるか、または前記第１データフレームの前記切り替え間隔であり、Ｎ≧１である、または、
前記第１処理ユニットは具体的に、伝送遅延および／または位置情報に基づいて第１対象切り替え間隔を決定すること、および、前記第１受信ユニットにより前記第１受信デバイスから受信される第１データ移行要求内の第１データ移行識別子が真であり、かつ、前記第１対象切り替え間隔内の第１識別情報が有効である場合に、前記第１データフレームの前記保護間隔内の前記第２識別情報を無効に設定すること、そうでなければ、前記第２識別情報を有効に設定することを行うように構成され、前記第１対象切り替え間隔は前記第１データフレームの前のＮ番目のデータフレームの切り替え間隔であるか、または前記第１データフレームの前記切り替え間隔であり、Ｎ≧１である、
請求項１７に記載のネットワークデバイス。
【請求項１９】
前記第１処理ユニットは更に、前記第１データフレーム内の前記第２識別情報が無効であるときに、前記第１データフレームの前記保護間隔の前記第２ペイロード領域に前記第１対象切り替え間隔の第１ペイロード領域内のデータを移行するように構成され、前記第１データフレームの前記第２ペイロード領域の長さは前記第１対象切り替え間隔の前記第１ペイロード領域の長さより長いか等しい、
請求項１８に記載のネットワークデバイス。
【請求項２０】
前記第１伝送デバイスは更に第１受信ユニットを含み、
前記第１処理ユニットは具体的に、
前記第１受信ユニットが第２受信デバイスから第２データ移行要求を受信するときに、前記第１データフレーム内の前記第２識別情報を無効に設定し、そうでなければ、前記第２識別情報を有効に設定する、または、
前記第１受信ユニットが第２データ移行要求を受信し、かつ、前記第２データ移行要求に保持される第２データ移行識別子が真であるときに、前記第１データフレーム内の前記第２識別情報を無効に設定し、そうでなければ、前記第２識別情報を有効に設定する
ように構成される、
請求項１７に記載のネットワークデバイス。
【請求項２１】
前記第１処理ユニットは更に、前記第１データフレーム内の前記第２識別情報が無効であるときに、伝送遅延および／または位置情報に基づいて第１対象切り替え間隔を決定することであって、前記第１対象切り替え間隔は前記第１データフレームの前のＮ番目のデータフレームの切り替え間隔であるか、または前記第１データフレームの前記切り替え間隔であり、Ｎ≧１である、決定すること、および、前記第１データフレームの前記保護間隔の前記第２ペイロード領域に前記第１対象切り替え間隔の第１ペイロード領域内のデータを移行することであって、前記第１データフレームの前記第２ペイロード領域の長さは前記第１対象切り替え間隔の前記第１ペイロード領域の長さより長いか等しい、移行することを行うように構成される、
請求項２０に記載のネットワークデバイス。
【請求項２２】
前記第１受信ユニットは更に開始命令および停止命令を受信するように構成され、
前記第１処理ユニットは更に、前記開始命令が受信されるときに、前記第１データフレームの前記第２ペイロード領域に前記第１対象切り替え間隔の前記第１ペイロード領域内の前記データを移行することから開始して、移行すべきデータを各データフレームに対応する保護間隔の第２ペイロード領域に移行すること、および、前記停止命令を受信するときに、次のデータフレームから開始するデータ移行を停止することを行うように構成される、
請求項１９または２１に記載のネットワークデバイス。
【請求項２３】
第１伝送デバイスと第１受信デバイスとを備えるネットワークデバイスであって、
前記第１受信デバイスは第２受信ユニット、第２処理ユニット、および第２伝送ユニットを有し、
前記第２受信ユニットは、第２データフレームシーケンスを受信するように構成され、前記第２データフレームシーケンスは第２データフレームを含み、前記第２データフレームは切り替え間隔を含み、前記切り替え間隔は第１識別情報を含み、
前記第２処理ユニットは、前記第２データフレーム内の前記第１識別情報が有効であるかどうかを検出し、前記第１識別情報が無効である場合に、第１データ移行要求を生成するように構成され、
前記第２伝送ユニットは、前記第１伝送デバイスに前記第１データ移行要求を送信するように構成される、
ネットワークデバイス。
【請求項２４】
前記第２処理ユニットは更に、前記第２データフレーム内の前記第１識別情報が有効である場合に、ビーム調整要求が受信されるかどうかを前記第２データフレームに対応する第２データ周期内に検出すること、および、前記ビーム調整要求が受信される場合に、前記第２データフレームの前記切り替え間隔の第１ペイロード領域内のデータを破棄し、受信されるデータ移行識別子を前記第２データフレームの前記切り替え間隔に設定すること、または、ビーム調整要求が受信されない場合に、前記第２データ周期内にデータを受信し続けることを行うように構成される、
請求項２３に記載のネットワークデバイス。
【請求項２５】
前記第２データフレームは更に保護間隔を含み、前記保護間隔は第２間隔ヘッダおよび第２ペイロード領域を含み、前記第２間隔ヘッダは第２識別情報を含み、前記第２識別情報は、前記第２識別情報が配置される前記保護間隔の前記第２ペイロード領域内のデータの有効性を示すために使用され、
前記第２処理ユニットは更に、前記第２データフレームの前記保護間隔内の前記第２識別情報が有効であるかどうかを検出すること、および、前記第２識別情報が有効である場合に、前記第２受信ユニットを使用することにより前記第２データフレームの前記第２ペイロード領域内の前記データを受信すること、または、前記第２識別情報が無効である場合に、前記第２データフレームの前記保護間隔の前の全ての切り替え間隔から第２対象切り替え間隔を検索することであって、前記第２対象切り替え間隔は、前記受信されるデータ移行識別子を有し、かつ、時間の観点から前記第２データフレームの前記保護間隔に最も近い切り替え間隔である、検索すること、および、前記第２対象切り替え間隔の第１ペイロード領域に前記第２データフレームの前記第２ペイロード領域内の前記データを移行することを行うように構成される、
請求項２４に記載のネットワークデバイス。
【請求項２６】
第２伝送デバイスと第２受信デバイスとを備えるネットワークデバイスであって、
前記第２受信デバイスは第３受信ユニット、第３処理ユニット、および第３伝送ユニットを有し、
前記第３受信ユニットは、第１データフレームシーケンスを受信するように構成され、前記第１データフレームシーケンスは第１データフレームを含み、前記第１データフレームは切り替え間隔を含み、前記切り替え間隔は第１識別情報を含み、
前記第３処理ユニットは、前記第１データフレームの前記切り替え間隔内の前記第１識別情報が有効であるかどうかを検出すること、前記第１識別情報が有効である場合に、前記第１データフレームに対応する第１データ周期内にビーム調整要求が受信されるかどうかを検出すること、および、前記ビーム調整要求が受信される場合に、第２データ移行要求を生成し、前記第１データフレームの前記切り替え間隔の第１ペイロード領域内のデータを破棄し、受信されるデータ移行識別子を前記第１データフレームの前記切り替え間隔に設定することを行うように構成され、
前記第３伝送ユニットは、前記第１伝送デバイスに前記第２データ移行要求を送信するように構成される、
ネットワークデバイス。
【請求項２７】
前記第１データフレームは更に保護間隔を含み、前記保護間隔は第２間隔ヘッダおよび第２ペイロード領域を含み、前記第２間隔ヘッダは第２識別情報を含み、前記第２識別情報は、前記第１データフレームの前記第２ペイロード領域内のデータの有効性を示すために使用され、
前記第３処理ユニットは更に、前記第１データフレーム内の前記第２識別情報が有効であるかどうかを検出すること、および、前記第２識別情報が有効である場合に、前記第３受信ユニットを使用することにより前記第１データフレームの前記第２ペイロード領域内の前記データを受信し続けること、または、前記第２識別情報が無効である場合に、前記第１データフレームの前記保護間隔の前の全ての切り替え間隔から第１対象切り替え間隔を検索することであって、前記第１対象切り替え間隔は、前記受信されるデータ移行識別子を有し、かつ、時間の観点から前記第１データフレームの前記保護間隔に最も近い切り替え間隔である、検索すること、および、前記第１対象切り替え間隔の第１ペイロード領域に前記第１データフレームの前記第２ペイロード領域内の前記データを移行することを行うように構成される、
請求項２６に記載のネットワークデバイス。
【請求項２８】
前記第３処理ユニットは更に、前記第１データフレームが受信された後に少なくとも１つの連続データフレームに対応するデータ周期内に前記ビーム調整要求が受信される場合に、開始命令を生成することであって、前記開始命令は、継続的なデータ移行操作を実行するよう前記第１伝送デバイスに命令するために使用される、生成すること、および、前記開始命令が生成された後に少なくとも１つの連続データフレームに対応するデータ周期内にビーム調整要求が受信されない場合に、停止命令を生成することであって、前記停止命令は、前記継続的なデータ移行操作を停止するよう前記第１伝送デバイスに命令するために使用される、生成することを行うように構成され、
前記第３伝送ユニットは更に、前記第１伝送デバイスに前記開始命令および前記停止命令を送信するように構成される、
請求項２７に記載のネットワークデバイス。
【発明の詳細な説明】
【技術分野】
【０００１】
本願はビームフォーミング技術およびビームステアリング技術の分野、特にビーム切り替えシステムに適用されるデータ伝送方法および装置に関する。
【背景技術】
【０００２】
５Ｇ無線通信システムおよび新世代のマイクロ波バックホール／フロントホール通信システムでは、ビームフォーミング（Ｂｅａｍｆｏｒｍｉｎｇ、ＢＦ）技術およびビームステアリング（Ｂｅａｍｓｔｅｅｒｉｎｇ、ＢＳ）技術を使用して、アンテナユニットにより生成されるビームの形状および方向を制御することで、空間多重化効率の向上、干渉の抑制、携帯端末の追跡、および防振などの特殊な通信効果を実現することにより、伝送の容量および信頼性を大幅に高めることができる。
【０００３】
これらのシステムにおけるビームフォーミング技術およびビームステアリング技術は主に以下の２つの方式で実装される。１つの方式はマルチチャネルの組み合わせである。図１ａに示すように、様々なチャネル上の電気信号または電磁波信号の位相変化を制御することにより、合成されたビームの形状および方向が変更される。この場合は、回路システム内の主なデバイスが位相シフタである。他の方式はマルチチャネルの切り替えである。図１ｂに示すように、各チャネルに対応するアンテナユニットに固定ビーム形状および固定ビーム方向が予め設定され、電気信号または電磁波信号により選択されたチャネルの切り替えおよび制御をすることにより最終ビームの形状および方向が変更される。この場合は、回路システム内の主なコンポーネントがスイッチである。
【０００４】
位相シフタまたはスイッチなどの構成可能なコンポーネントの場合は、コンポーネントの状態変更に特定のアクション時間が必要であり、アクションプロセスにおけるコンポーネントの状態が通常は不確実である。この影響を受けて、この期間における回路上の信号品質も信頼性に欠ける。しかしながら、５Ｇ通信システムおよび高速バックホールシステムでは、キャリアアグリゲーションおよび高周波数帯域リソースの使用に起因して、信号帯域幅が極めて大きいと、シンボルサンプルの継続時間が非常に短くなる。この場合は、ＢＦ技術またはＢＳ技術を使用すると、ビーム調整プロセスでデータ伝送が悪化するか、または中断さえする場合がある。
【０００５】
通常の通信に影響が及ぶのを防止すべく、システムは通常、ビームの調整および切り替え中にデータフローに冗長かつ無効なデータを満たして、コンポーネントの不安定な状態により生じる有効な通信データの伝送に対するダメージを回避する。無損失データ伝送要件とビーム切り替え要件とのバランスを取るべく、処理技術には、ビーム切り替え要件があるときに、切り替え間隔（Ｓｗｉｔｃｈｉｎｇ  Ｉｎｔｅｒｖａｌ）を一時的に割り当て、データ伝送を一時停止し、切り替えを完了するといったものがある。この場合は、伝送リンクの場合、伝送機はビーム切り替え中に有効なデータフローを能動的に一時停止し、切り替え間隔を満たすことができる。ビーム切り替えを実行するときに、受信機は、切り替え間隔を割り当てるための要求をピア伝送機に送信する必要がある。当該要求のデータフロー構造を図２に示す。
【０００６】
オンデマンドで切り替え間隔を割り当てるためのデータフロー構造によって切り替え周波数を確保しながら伝送効率を高めることができるが、受信機は、ビーム切り替えを実行するときにピア伝送機に当該要求を送信する必要がある。この相互作用プロセスによって比較的大きな遅延が生じ、更には受信機のビーム切り替えの適時性が低下する。結果として、システムは端末の位置および揺れなどを突き止めることができない。
【発明の概要】
【０００７】
本願は、ビーム切り替え中の切り替え効率を高め、かつ、遅延を減少させるためのデータ伝送方法および装置を提供する。
【０００８】
第１態様によれば、本願はデータ伝送方法を提供する。方法は第１ネットワークデバイスに適用され、第１ネットワークデバイスは第１伝送デバイスおよび第１受信デバイスを含んでよい。方法は、第１伝送デバイスが第１データフレームシーケンスを生成する段階であって、第１データフレームシーケンスは少なくとも１つのデータフレームを含み、例えば第１データフレームを含み、第１データフレームは切り替え間隔を含み、切り替え間隔は第１識別情報を含み、第１識別情報は、第１データフレームの切り替え間隔内のデータの有効性を示すために使用され、第１データフレームは第１データ周期に対応する、段階と、第１伝送デバイスが、第１データ周期内にビーム調整要求が受信されるかどうかを検出し、ビーム調整要求が受信される場合に、第１データフレームの切り替え間隔内の第１識別情報を無効に設定する、または、ビーム調整要求が受信されない場合に、第１識別情報を有効に設定する段階と、第１伝送デバイスが第１データフレームを送信する段階とを備える。
【０００９】
第１識別情報はバイナリモードで切り替え間隔内のデータの有効性を示してもよいし、シーケンス文字列を使用することにより切り替え間隔内のデータの有効性を示してもよい。例えば、シーケンス文字列を使用して切り替え間隔内のデータの有効性を示すときに、シーケンス文字列に対する相関演算が実行され、シーケンス文字列が第１識別情報のシーケンス文字列と同様である場合に、それは切り替え間隔内のデータが有効であることを示し、そうでなければ、それはデータが無効であることを示す。加えて、切り替え間隔の有効性は代替的に別の方式で示され得る。これについては本願で限定しない。
【００１０】
この態様で提供する方法によれば、伝送デバイスはデータフレーム、または第１識別情報を保持するデータフレームシーケンスを生成し、ビーム調整要求を受信する状態に基づいて識別情報の有効性を設定する。その結果、データフレームを受信するときに、受信デバイスは、データフレーム内の第１識別情報の有効性に基づいて、伝送デバイスがビーム調整を実行しているかどうかを決定し、伝送デバイスの状態に基づいて、対応するフィードバックアクションを実行することができる。従って、伝送デバイスがビーム調整中に受信デバイスに要求を別々に送信することが防止され、要求を送信する相互作用プロセスでの伝送遅延が回避されることにより、ビーム切り替え効率が高まる。
【００１１】
第１態様を参照すると、第１態様のある実装において、切り替え間隔は第１間隔ヘッダおよび第１ペイロード領域を含み、第１間隔ヘッダは、第１識別情報を保持するために使用され、第１ペイロード領域は、データを保持するために使用され、方法は更に、第１伝送デバイスが第１データ周期内にビーム調整要求を受信した後、および、第１伝送デバイスが第１データフレームを送信する前に、第１データフレームの切り替え間隔の第１ペイロード領域に無効なデータを満たし、第１データ周期内にビーム調整を実行する段階、または、第１データ周期内にビーム調整要求を受信しなかった後に、第１データフレームの切り替え間隔の第１ペイロード領域に有効なデータを満たす段階を含む。
【００１２】
本実装では、ビーム調整要求が受信されるときに、無効なデータが切り替え間隔のペイロード領域に満たされる結果、ビーム切り替え中の有効なデータの損失が回避され得る、または、ビーム調整要求が受信されないときに、有効なデータが切り替え間隔に満たされる結果、通常の伝送が維持され得る。
【００１３】
第１態様を参照すると、第１態様の別の実装において、第１データフレームは更に保護間隔を含み、保護間隔は第２間隔ヘッダおよび第２ペイロード領域を含み、第２間隔ヘッダは、第２識別情報を保持するために使用され、第２識別情報は、保護間隔の第２ペイロード領域内のデータの有効性を示すために使用され、第１データフレームを生成するプロセスにおいて、方法は更に、第１データフレームの保護間隔内の第２識別情報の有効性を設定する段階を含む。
【００１４】
本実装において、データフレームは保護間隔を含む。その結果、ビーム調整を実行するときに、伝送デバイスは切り替え間隔内のデータを保護間隔に移行することができ、これにより、切り替え中の有効なデータの損失が回避され、遅延が減少し、切り替え効率が高まり、データ伝送のセキュリティが確保される。
【００１５】
第１態様を参照すると、第１態様の更に別の実装において、第１データフレームの保護間隔内の第２識別情報の有効性を設定する段階は、第１伝送デバイスが伝送遅延および／または位置情報に基づいて第１対象切り替え間隔を決定することであって、第１対象切り替え間隔は第１データフレームの前のＮ番目のデータフレームの切り替え間隔であるか、または第１データフレームの切り替え間隔であり、Ｎは１より大きいか等しい正の整数である、決定すること、および、第１データ移行要求が第１受信デバイスから受信され、かつ、第１対象切り替え間隔内の第１識別情報が有効である場合に、第１データフレームの保護間隔内の第２識別情報を無効に設定すること、そうでなければ、第２識別情報を有効に設定することを行う段階を含む。
【００１６】
伝送遅延は、データが第１伝送デバイスから第２受信デバイスに伝送されるときに生成される時間間隔、または、データが第２伝送デバイスから第１受信デバイスに伝送されるときに生成される時間間隔を含み、位置情報は、データフレームシーケンスにおいて各データフレームの位置を示すために使用される位置番号またはシーケンス番号を含む。
【００１７】
オプションとして、第１データフレームの保護間隔内の第２識別情報の有効性を設定するための別の方法は、第１伝送デバイスが伝送遅延および／または位置情報に基づいて第１対象切り替え間隔を決定することであって、第１対象切り替え間隔は第１データフレームの前のＮ番目のデータフレームの切り替え間隔であるか、または第１データフレームの切り替え間隔であり、Ｎ≧１である、決定すること、および、第１受信デバイスから受信された第１データ移行要求内の第１データ移行識別子が真であり、かつ、第１対象切り替え間隔内の第１識別情報が有効である場合に、第１データフレームの保護間隔内の第２識別情報を無効に設定すること、そうでなければ、第２識別情報を有効に設定することを行う段階を含む。
【００１８】
第１態様を参照すると、第１態様の更に別の実装において、第１データフレーム内の第２識別情報が無効であるときに、第１伝送デバイスは第１データフレームの保護間隔の第２ペイロード領域に第１対象切り替え間隔の第１ペイロード領域内のデータを移行する。切り替え間隔内の全てのデータが保護間隔に確実に移行されるよう、各データフレームの保護間隔および切り替え間隔が設定されるときに、第１データフレームの第２ペイロード領域の長さは第１対象切り替え間隔の第１ペイロード領域の長さより長いか等しい。
【００１９】
第１態様を参照すると、第１態様の更に別の実装において、第１伝送デバイスが第１ネットワークデバイスに配置され、第２ネットワークデバイスが更に含まれ、かつ、第２ネットワークデバイスが第２受信デバイスを含むときに、第１データフレーム内の第２識別情報の有効性を設定する段階は、第２受信デバイスから第２データ移行要求を受信するときに、第１伝送デバイスが第１データフレーム内の第２識別情報を無効に設定し、そうでなければ、第２識別情報を有効に設定する段階、または、第２データ移行要求を受信し、かつ、第２データ移行要求に保持される第２データ移行識別子が真であるときに、第１伝送デバイスが第１データフレーム内の第２識別情報を無効に設定し、そうでなければ、第２識別情報を有効に設定する段階を含む。
【００２０】
第１態様を参照すると、第１態様の更に別の実装において、方法は更に、第１データフレームの第２間隔ヘッダ内の第２識別情報が無効であるときに、伝送遅延および／または位置情報に基づいて第１対象切り替え間隔を決定する段階であって、第１対象切り替え間隔は第１データフレームの前のＮ番目のデータフレームの切り替え間隔であるか、または第１データフレームの切り替え間隔であり、Ｎ≧１である、段階と、第１データフレームの保護間隔の第２ペイロード領域に第１対象切り替え間隔の第１ペイロード領域内のデータを移行する段階であって、第１データフレームの第２ペイロード領域の長さは第１対象切り替え間隔の第１ペイロード領域の長さより長いか等しい、段階とを含む。
【００２１】
本実装では、データ移行を実行する必要があるとき、具体的には第１データフレーム内の第２識別情報が無効であるときに、第１データフレームが受信される前に記憶されたＮ番目のデータフレームの切り替え間隔内の有効なデータを第１データフレームの保護間隔に移行し、保護間隔の長さを切り替え間隔の長さより長いか等しくすることで、データの移行元である切り替え間隔内の全てのデータを確実に保護間隔に転送できるようにし、これにより、データ伝送のセキュリティおよび信頼性が確保される。
【００２２】
第１態様を参照すると、第１態様の更に別の実装において、方法は更に、開始命令を受信するときに、第１伝送デバイスが、第１データフレームの第２ペイロード領域に第１対象切り替え間隔の第１ペイロード領域内のデータを移行することから開始して、移行すべきデータを各データフレームに対応する保護間隔の第２ペイロード領域に移行する段階と、停止命令を受信するときに、第１伝送デバイスが次のデータフレームから開始するデータ移行を停止する段階とを含む。
【００２３】
本実装では、複数の連続データ周期内にビーム調整要求を受信するときに、受信デバイスは伝送デバイスに継続的な開始命令を送信する。継続的なデータ移行およびデータ移行の停止のプロセスによって、素早く移動するまたは揺れる対象物をシステムが追跡するときにデータ損失が生じるのを回避することができる。すなわち、本実装では、対象物が素早く移動するまたは揺れるときに、追跡されるデータが失われないよう保証することにより、追跡および位置決めの精度を確保することができる。
【００２４】
第２態様によれば、本願は更にデータ伝送方法を提供する。方法は第１ネットワークデバイスに適用されてよく、第１ネットワークデバイスは第１伝送デバイスおよび第１受信デバイスを含む。具体的に言うと、方法は、第１受信デバイスが第２データフレームシーケンスを受信する段階であって、第２データフレームシーケンスは少なくとも１つのデータフレームを含み、例えば第２データフレームを含み、第２データフレームは切り替え間隔を含み、切り替え間隔は第１間隔ヘッダおよび第１ペイロード領域を含み、第１間隔ヘッダは、切り替え間隔の第１ペイロード領域内のデータの有効性を示すために使用される第１識別情報を含む、段階と、第２データフレームの切り替え間隔内の第１識別情報が有効であるかどうかを第１受信デバイスが検出し、第１識別情報が無効である場合に、第１データ移行要求を生成する段階と、第１受信デバイスが第１データ移行要求を送信する段階とを含む。
【００２５】
第２態様を参照すると、第２態様のある実装において、第２データフレームは第２データ周期に対応し、方法は更に、第１受信デバイスが、ビーム調整要求が受信されるかどうかを第２データ周期内に検出すること、および、ビーム調整要求が受信される場合に、第２データフレームの切り替え間隔の第１ペイロード領域内のデータを破棄し、受信されるデータ移行識別子を第２データフレームの切り替え間隔に設定するか、または切り替え間隔にラベルを付与して、切り替え間隔でデータを受信する必要があることを示すこと、または、ビーム調整要求が受信されない場合に、第２データ周期内にデータを受信し続けることを行う段階を含む。
【００２６】
第２態様を参照すると、第２態様の別の実装において、第２データフレームは更に保護間隔を含み、保護間隔は第２間隔ヘッダおよび第２ペイロード領域を含み、第２間隔ヘッダは第２識別情報を含み、第２識別情報は、第２識別情報が配置される保護間隔の第２ペイロード領域内のデータの有効性を示すために使用され、方法は更に、第１受信デバイスが、第２データフレームの保護間隔内の第２識別情報が有効であるかどうかを検出する段階、および、第２識別情報が有効である場合に、第２データフレームの第２ペイロード領域内のデータを受信する段階、または、第２識別情報が無効である場合に、第２データフレームの保護間隔の前の全ての切り替え間隔から第２対象切り替え間隔を検索することであって、第２対象切り替え間隔は、受信されるデータ移行識別子を有し、かつ、時間の観点から第２データフレームの保護間隔に最も近い切り替え間隔である、検索すること、および、第２対象切り替え間隔の第１ペイロード領域に第２データフレームの第２ペイロード領域内のデータを移行することを行う段階を含む。
【００２７】
第３態様によれば、本願は更にデータ伝送方法を提供する。方法は第２ネットワークデバイスに適用されてよく、第２ネットワークデバイスは第１ネットワークデバイスのピアデバイスであり、第２ネットワークデバイスは第２伝送デバイスおよび第２受信デバイスを含む。第２受信デバイスは、第１ネットワークデバイスにより生成された第１データフレームシーケンスを受信するように構成され、第２伝送デバイスは、第２データフレームシーケンスを生成し、第１ネットワークデバイスに第２データフレームシーケンスを送信するように構成される。方法は、第２受信デバイスが第１ネットワークデバイスから第１データフレームシーケンスを受信する段階であって、第１データフレームシーケンスは第１データフレームを含み、第１データフレームは切り替え間隔を含み、切り替え間隔は第１識別情報を含む、段階と、第１データフレームの切り替え間隔内の第１識別情報が有効であるかどうかを検出する段階と、第１識別情報が有効である場合に、第１データフレームに対応する第１データ周期内にビーム調整要求が受信されるかどうかを検出する段階と、ビーム調整要求が受信される場合に、第２データ移行要求を生成し、第１伝送デバイスに第２データ移行要求を送信すること、および、第１データフレームの切り替え間隔の第１ペイロード領域内のデータを破棄し、受信されるデータ移行識別子を第１データフレームの切り替え間隔に設定することを行う段階とを含み、第１伝送デバイスは第１ネットワークデバイスに配置される。
【００２８】
オプションとして、第２データ移行要求を生成する段階は、内容が真である第２データ移行識別子と第２データ移行要求とを生成する段階を含み、第２受信デバイスが第１伝送デバイスに第２データ移行要求を送信する段階は、第２受信デバイスが、第２データ移行要求を使用することにより、内容が真である第２データ移行識別子を第１伝送デバイスに送信する段階を含む。
【００２９】
第３態様を参照すると、第３態様の別の実装において、第１データフレームは更に保護間隔を含み、保護間隔は第２間隔ヘッダおよび第２ペイロード領域を含み、第２間隔ヘッダは第２識別情報を含み、第２識別情報は、第１データフレームの第２ペイロード領域内のデータの有効性を示すために使用され、方法は更に、第２受信デバイスが、第１データフレーム内の第２識別情報が有効であるかどうかを検出する段階、および、第２識別情報が有効である場合に、第１データフレームの第２ペイロード領域内のデータを受信し続ける段階、または、第２識別情報が無効である場合に、第１データフレームの保護間隔の前の全ての切り替え間隔から第１対象切り替え間隔を検索することであって、第１対象切り替え間隔は、受信されるデータ移行識別子を有し、かつ、時間の観点から第１データフレームの保護間隔に最も近い切り替え間隔である、検索すること、および、第１対象切り替え間隔の第１ペイロード領域に第１データフレームの保護間隔の第２ペイロード領域内のデータを移行することを行う段階を含む。
【００３０】
第３態様を参照すると、第３態様の更に別の実装において、方法は更に、第１データフレームが受信された後に少なくとも１つの連続データフレームに対応するデータ周期内に第２受信デバイスがビーム調整要求を受信する場合に、開始命令を生成する段階であって、開始命令は、継続的なデータ移行操作を実行するよう第１伝送デバイスに命令するために使用される、段階と、第２受信デバイスが第１伝送デバイスに開始命令を送信する段階と、開始命令が生成された後に少なくとも１つの連続データフレームに対応するデータ周期内に第２受信デバイスがビーム調整要求を受信しない場合に、停止命令を生成する段階であって、停止命令は、継続的なデータ移行操作を停止するよう第１伝送デバイスに命令するために使用される、段階と、第２受信デバイスが第１伝送デバイスに停止命令を送信する段階とを含む。
【００３１】
本実装において、第２受信デバイスは、ビーム調整要求に基づいて継続的なデータ移行のための開始命令および停止命令を第１伝送デバイスに送信して、複数の連続データ周期内にデータ移行を実行するかまたはデータ移行を停止するよう第１伝送デバイスに命令することで、素早く移動するまたは揺れる対象物の位置を正確に追跡し、データ損失を回避し、位置決め精度を高める。
【００３２】
第４態様によれば、本願は更に伝送デバイスを提供する。伝送デバイスは第１処理ユニット、第１受信ユニット、および第１伝送ユニットを含むか、または記憶ユニットなどの別のユニットを更に含んでおり、第１態様および第１態様の実装に係る方法の段階を実装するように構成される。オプションとして、伝送デバイスは伝送機を含む。
【００３３】
第５態様によれば、本願は更に受信デバイスを提供する。受信デバイスは第２処理ユニット、第２受信ユニット、および第２伝送ユニットを含むか、または記憶ユニットなどの別のユニットを更に含んでおり、第２態様および第３態様、並びに第２態様および第３態様の実装に係る方法の段階を実装するように構成される。オプションとして、受信デバイスは受信機を含む。
【００３４】
第６態様によれば、本願は更にネットワークデバイスを提供する。ネットワークデバイスは、第４態様に係る伝送デバイス、および第４態様または第５態様に係る受信デバイスを含んでおり、データフレームシーケンスを生成し、データフレームシーケンス内のデータフレームを伝送するように構成される。各データフレームは切り替え間隔および保護間隔を含み、切り替え間隔は第１識別情報を含み、保護間隔は第２識別情報を含む。第１識別情報および第２識別情報の各々は、第１識別情報または第２識別情報が配置される間隔内のデータの有効性を示すために使用される。加えて、識別情報により示されるように、現在のデバイスの状態、および実行する必要があるアクションが他端のデバイスに通知される。その結果、一端の伝送デバイスまたは受信デバイスが他端に再び要求を送信することが防止され、伝送遅延の増加が回避され、ビーム切り替えの適時性の低下が回避される。
【００３５】
オプションとして、第１識別情報および第２識別情報は、対応する間隔の間隔ヘッダに設定され得る。
【００３６】
オプションとして、データフレームシーケンス内の各データフレームは更に位置情報を含んでよく、位置情報は、データフレームシーケンス内の全てのデータフレームに設定される位置番号であり、データフレームシーケンス内のデータフレームの位置を示すために使用される。更に、位置情報は各データフレームの保護間隔に構成され得る。
【００３７】
オプションとして、ハードウェア実装の観点から、ネットワークデバイスは更に送受信機、プロセッサ、およびメモリなどのコンポーネントを含んでよい。送受信機は、伝送デバイスおよび受信デバイスに関連する、データを送信または受信する機能、例えばデータフレームを送信し、ビーム調整要求を受信し、データ移行要求を送信する機能を実装するように構成される。プロセッサは処理ユニットの機能を実装する、例えばデータフレームを生成し、識別情報の有効性を決定および設定し、データを移行するように構成される。メモリは、伝送されたデータ、識別情報、ビーム調整要求、およびデータ移行要求などを記憶するように構成される。
【００３８】
第７態様によれば、本願は更にコンピュータ記憶媒体を提供する。コンピュータ記憶媒体はプログラムを記憶してよく、プログラムが実行されるときに、本願で提供するデータ伝送方法の実施形態における段階のうちの幾つかまたは全てが実行され得る。オプションとして、記憶媒体はネットワークデバイスのメモリに格納されてよく、プロセッサにより制御される。
【００３９】
第８態様によれば、本願は更に、ビーム切り替えに使用される伝送システムを提供する。システムは少なくとも２つのネットワークデバイスを含み、各ネットワークデバイスは第６態様に係るネットワークデバイスであってよい、または、第４態様に係る伝送デバイスおよび第５態様に係る受信デバイスを含み、システムは本願の第１態様および第１態様の実装に係るデータ伝送方法を実装するように構成される。
【００４０】
本願で提供するデータ伝送方法および装置によれば、一端のネットワークデバイス内の伝送デバイスまたは受信デバイスがデータフレームに識別情報を設定し、識別情報は、識別情報が配置される間隔内のデータの有効性を示すために使用されてよく、データフレームシーケンス内のデータフレームを送信および受信する。このようにして、両端にある両方のデバイスが独立してピアエンドのデバイスの伝送状態を認識し、当該状態に基づいて、対応するアクションを実行することができる。その結果、データ移行を開始するおよびデータ移行に応答するために命令または通知をフィードバックする必要がなく、これにより、伝送遅延が減少し、ビーム切り替え効率が高まる。
【００４１】
加えて、フィードバック命令の密度が増加するときに、サイトは適応的に特殊な動作モードに切り替わって、ピアエンドからのフィードバックを必要とすることなく継続的なデータ移行を実行し、これにより、フィードバック遅延に起因する受信機のビーム切り替えの適時性の低下が回避される。
【図面の簡単な説明】
【００４２】
【図１ａ】チャネルの組み合わせに基づくビーム制御技術の概略図である。
【００４３】
【図１ｂ】チャネルの切り替えに基づくビーム制御技術の概略図である。
【００４４】
【図２】オンデマンドで切り替え間隔を割り当てる必要があるデータフレームシーケンスの概略構造図である。
【００４５】
【図３】本願のある実施形態に係るデータフレームの概略構造図である。
【００４６】
【図４】本願のある実施形態に係る第１システム構成の概略構造図である。
【００４７】
【図５】本願のある実施形態に係る第２システム構成の概略構造図である。
【００４８】
【図６ａ】本願のある実施形態に係る第１システム構成における同期データフローの概略構造図である。
【００４９】
【図６ｂ】本願のある実施形態に係る第１システム構成における別の同期データフローの概略構造図である。
【００５０】
【図６ｃ】本願のある実施形態に係る第２システム構成における単方向データフローの概略構造図である。
【００５１】
【図７ａ】本願のある実施形態に係る伝送デバイスに適用されるデータ伝送方法の概略フローチャートである。
【００５２】
【図７ｂ】本願のある実施形態に係る伝送デバイスに適用される別のデータ伝送方法の概略フローチャートである。
【００５３】
【図８ａ】本願のある実施形態に係る受信デバイスに適用されるデータ伝送方法の概略フローチャートである。
【００５４】
【図８ｂ】本願のある実施形態に係る受信デバイスに適用される別のデータ伝送方法の概略フローチャートである。
【００５５】
【図９】本願のある実施形態に係る伝送デバイスに適用される更に別のデータ伝送方法の概略フローチャートである。
【００５６】
【図１０】本願のある実施形態に係る受信デバイスに適用される更に別のデータ伝送方法の概略フローチャートである。
【００５７】
【図１１】本願のある実施形態に係る伝送デバイスの概略構造図である。
【００５８】
【図１２】本願のある実施形態に係る受信デバイスの概略構造図である。
【００５９】
【図１３】本願のある実施形態に係るネットワークデバイスの概略構造図である。
【発明を実施するための形態】
【００６０】
当業者が本願の実施形態における技術的解決策をよりよく理解し、かつ、本願の実施形態の目的、特徴、および利点がより明確になるよう、以下では更に、添付図面を参照しながら本願の実施形態における技術的解決策について詳細に説明する。
【００６１】
本願の実施形態の技術的解決策について説明する前に、本願の実施形態の適用シナリオについてまず説明する。本願は５Ｇ無線通信システムまたは次世代マイクロ波バックホール／フロントホール通信システムに適用され、ビームフォーミング（Ｂｅａｍｆｏｒｍｉｎｇ、ＢＦ）システムおよびビームステアリング（Ｂｅａｍｓｔｅｅｒｉｎｇ、ＢＳ）システムにおけるビーム調整およびビーム切り替えのために、本願は、動的な切り替え間隔および動的な保護間隔がインタリーブされるデータ伝送方法を提供する。
【００６２】
この方法によれば、切り替え周波数の変化に基づいて切り替え間隔を動的に有効化することができ、有効なデータの伝送効率を調整することができる。その結果、受信機などの受信デバイスおよび伝送機などの伝送デバイスが独立してデータ移行を開始し、データ切り替えを実行することができ、これにより、ビーム切り替え効率が高まり、伝送リソースの無駄が回避される。
【００６３】
具体的に言うと、本願で提供する技術的解決策は、固定データフレーム構造を含むデータフレームシーケンスに基づいている。図３に示すように、シーケンスは、同じ構造を有する複数のデータフレームを含み、各データフレームは切り替え間隔（例えばＦｌｅｘ  Ｓ）および保護間隔（例えばＦｌｅｘ  Ｐ）を含む。各切り替え間隔は第１間隔ヘッダおよび第１ペイロード領域を含み、第１間隔ヘッダは、第１識別情報を保持するために使用され、第１ペイロード領域は、有効または無効なデータを保持するために使用され、第１識別情報は、第１ペイロード領域内のデータの有効性を示すために使用される。同様に、各保護間隔は第２間隔ヘッダおよび第２ペイロード領域を含み、第２間隔ヘッダは、第２識別情報を保持するために使用され、第２ペイロード領域は、有効または無効なデータを保持するために使用され、第２識別情報は、第２ペイロード領域内のデータの有効性を示すために使用される。
【００６４】
加えて、各データフレームは伝送期間に対応する。以下の本願の実施形態では、１つのデータフレームが１つのデータ周期に対応するように定義される。このデータ周期では、伝送デバイスおよび受信デバイスはビーム調整およびデータ移行などの処理を実行してよい。加えて、オプションとして、各データフレームでは、保護間隔に対応する長さを切り替え間隔の長さより長いか等しくなるように設定して、切り替え間隔内の全てのデータをデータ移行中に保護間隔に確実に移行できるようにする。
【００６５】
オプションとして、データフレームシーケンスが設定されるときに、シーケンス内の全てのデータフレームが特定の順序で番号付けされて位置情報を形成してよく、位置情報はデータフレームシーケンス内の各データフレームの位置を示すために使用され、位置情報は、位置フィールドを使用することにより各データフレームの保護間隔に設定され得る。
【００６６】
ビーム切り替え中、伝送デバイスおよび受信デバイスはどちらもデータフレームの切り替え間隔および保護間隔にデータを満たし、識別情報を使用することにより各間隔内のデータの有効性を示して、高速切り替えを実装する必要がある。具体的に言うと、データを満たす原理は以下の規則に従ってよい。
【００６７】
第１に、有効なデータまたは冗長な無効なデータが必要に応じて各データフレームの切り替え間隔に満たされてよく、移行後の切り替え間隔内のデータまたは有効なデータが必要に応じて各データフレームの保護間隔に満たされてよい。
【００６８】
第２に、伝送デバイスおよび受信デバイスは、独自の要件に基づいて、データフレームの切り替え間隔でビームの調整アクションおよび切り替えアクションを実行してよい。
【００６９】
第３に、伝送デバイスはまず必要に応じて切り替え間隔内のデータをバッファリングし、次にバッファリングされた１レベルまたはマルチレベルのデータを対応する保護間隔に移行してよい。
【００７０】
第４に、伝送デバイスは必要に応じて保護間隔または切り替え間隔内の識別情報に対する設定操作および書き込み操作を実行してよい、例えば識別情報を有効から無効に設定するか、または特定の間隔内のデータを有効または無効に設定してよい。オプションとして、伝送デバイスは更に保護間隔内の位置フィールドに対する設定操作および書き込み操作を実行してよい。
【００７１】
第５に、受信デバイスはデータフレームシーケンス内のデータフレームを受信し、データフレーム内の各間隔内の識別情報を読み取り、識別情報により示されるように、データ移行またはビーム調整などの対応するアクションを実行してよい。オプションとして、受信デバイスは更に保護間隔内の位置フィールドを読み取ってよく、更には移行する必要があるデータを位置フィールドの内容に基づいて見つける。
【００７２】
受信デバイスおよび伝送デバイスは異なるネットワークデバイス内のコンポーネントであってもよいし、同じネットワークデバイスに配置されるコンポーネントであってもよいことに留意されたい。これについては本願で限定しない。
【００７３】
加えて、伝送遅延を減少させ、かつ、切り替え効率を高めるべく、本願の技術的解決策では、データフレームの各間隔にデータを満たすのに更に以下の原理に準拠することができる。
【００７４】
１．切り替え間隔（Ｆｌｅｘ  Ｓ）にデータを満たす原理
【００７５】
切り替え間隔にデータを満たすことは主に伝送デバイス（伝送機）のビーム調整要求に基づいて決定される。具体的には、伝送デバイスにビーム切り替え要件があるときに、切り替え間隔に無効なデータが満たされ、切り替え間隔内の識別情報が「無効」に設定される。そうでなければ、ビーム切り替え要件がないときに、切り替え間隔内の識別情報が「有効」に設定され、有効なデータが満たされる。オプションとして、特殊な動作モードにおいて、伝送デバイスのビーム切り替え要件は無視されてよく、切り替え間隔に無効なデータが直接満たされ、切り替え間隔に対応する識別情報は「無効」に設定される。
【００７６】
２．保護間隔（Ｆｌｅｘ  Ｐ）にデータを満たす原理
【００７７】
保護間隔にデータを満たすことは主に受信デバイス（受信機）により決定される。通常は、有効なデータを満たすか移行後の切り替え間隔内のデータを満たすかを受信デバイスの処理ユニットが決定してよい。具体的には、以下の２つの異なるシステム構成に基づいて、異なるデータを満たすポリシが使用され得る。
【００７８】
図４に示すように、第１システム構成が全二重移動通信システムを示す。２つのネットワークデバイス、例えばサイトＡおよびサイトＢにおけるそれぞれの受信機および伝送機が１つのビーム調整可能なアンテナフィーダシステムを共有し、サイトＡとサイトＢとの間には双方向通信リンクが存在する。通信リンクの一方向に伝送されるデータがサイトＡからサイトＢであり、通信リンク上のデータは、第１データフレームシーケンスを使用することにより保持されてよく、サイトＡにより生成される。通信リンクの他方向に伝送されるデータがサイトＢからサイトＡであり、具体的に言うと、通信リンク上のデータは、第２データフレームシーケンスを使用することにより保持されてよく、サイトＢにより生成される。
【００７９】
第１システム構成において、これら２つのサイトにおける伝送機は、送信すべきデータフレームシーケンス内の前の切り替え間隔内の第１識別情報とローカル受信機により送信されるデータ移行識別子との有効性に基づいて、データ移行を実行する必要があるかどうかを決定してよい。具体的に言うと、前の切り替え間隔内の識別情報が「無効」である場合は、ローカル受信機により送信されるデータ移行識別子が真であるかどうかに関わらず、データ移行を実行する必要がない。前の切り替え間隔内の識別情報が「有効」であり、かつ、ローカル受信機により送信されるデータ移行識別子が真である場合は、データ移行操作を実行する必要がある。前の切り替え間隔内の識別情報が「有効」であり、かつ、ローカル受信機により送信されるデータ移行識別子が偽である場合は、データ移行を実行する必要がない。
【００８０】
データを移行するかどうかを前の切り替え間隔内の識別情報に基づいて伝送機が決定するプロセスにおいて、この特定の「前」の切り替え間隔はリンクの伝送遅延および／または位置情報に基づいて決定されることに留意されたい。伝送遅延は、データがローカルデバイスの伝送機からピアデバイスの受信機に伝送されるときに生成される時間間隔、または、データがピアデバイスの伝送機からローカルデバイスの受信機に伝送されるときに生成される時間間隔である。位置情報は、データフレームごとにデータフレームシーケンスに予め設定される位置番号またはシーケンス番号である。
【００８１】
移行する必要があるデータが伝送遅延に基づいて決定されるときに、１つの考えられる実装には、伝送遅延が１つのデータ周期より小さい場合に、最後の切り替え間隔内の識別情報により示されるデータを使用してデータ移行を実行する、または、伝送遅延が１つのデータ周期より大きく、かつ、２つのデータ周期より小さい場合に、最後から２番目の切り替え間隔内の識別情報により示されるデータを使用してデータ移行を実行するといったものがある。残りは類推で推定することができる。
【００８２】
データ移行を実行する必要がない上述の場合は、有効なデータが保護間隔に満たされてよく、当該保護間隔に対応する識別情報が「有効」に設定される。データ移行を実行する必要がある場合は、データフレームシーケンス内の前の切り替え間隔内のデータが、現在処理されている保護間隔に満たされ、現在の保護間隔内の識別情報が「無効」に設定される。更には、現在のデータフレームの保護間隔にシーケンス番号が割り当てられ得る結果、受信機は、データの位置を移行する必要があると素早く決定することができる。オプションとして、シーケンス番号は、シーケンス番号に対応する位置フィールドに書き込まれる。
【００８３】
図５に示すように、第２システム構成がポイントツーポイントのマイクロ波バックホールシステムを示す。システム内の２つのサイトのそれぞれの伝送機および受信機にはそれぞれアンテナフィーダシステムがあり、各アンテナフィーダシステムは独立してデータを伝送してよい。
【００８４】
第２システム構成において、一端の伝送機は、ピア受信機によりフィードバックされた情報に基づいて、データ移行を実行する必要があるかどうかを決定してよい。データ移行を実行する必要がない場合は、有効なデータが保護間隔に満たされ、当該保護間隔内の識別情報が「有効」に設定される。データ移行を実行する必要がある場合は、データフレームシーケンス内の前の切り替え間隔内のデータが現在の保護間隔に満たされ、当該保護間隔内の識別情報が「無効」に設定される。オプションとして、現在の保護間隔にシーケンス番号が割り当てられてよく、シーケンス番号は位置フィールドに書き込まれる。
【００８５】
加えて、考えられる実装において、第２システム構成は更に特殊な動作モードを含む。特殊な動作モードにおいて、伝送機は、受信機のデータ移行要求が受信されるかどうかを決定しないが、保護間隔に有効なデータを直接満たし、当該保護間隔内の識別情報を「有効」に設定する。
【００８６】
３．受信デバイス（受信機）の動作原理
【００８７】
受信デバイスまたは受信機はデータフレームシーケンス内のデータを周期的に受信し、データフレーム内の各間隔内の識別情報の有効性を読み取り、次に、識別情報が有効であるかどうかに基づいて、識別情報により示されるデータを維持するか破棄するかを決定する。具体的に言うと、受信機は、受信機のビーム切り替え要件および切り替え間隔内の識別情報といった２つの要因に基づいて、切り替え間隔内のデータを破棄するかどうかを決定してよい。
【００８８】
具体的に言うと、切り替え間隔内の識別情報が「無効」である場合は、切り替え間隔内のデータは、ビーム切り替えが必要であるかどうかに関わらず直接破棄される。切り替え間隔内の識別情報が「有効」であり、かつ、受信機がビーム切り替えを実行する必要がない場合は、切り替え間隔内の有効なデータが取得され続ける。切り替え間隔内の識別情報が「有効」であり、かつ、ビーム調整を実行する必要がある場合は、受信機は切り替え間隔内のデータを破棄し、第１データ移行要求を生成する。更に、第１データ移行要求は第１データ移行識別子を含み、第１データ移行識別子は真である。
【００８９】
第１データ移行識別子が真であるときに、受信機は後続のデータフローにおける保護間隔内の識別情報の有効性の監視を開始し、保護間隔内の「無効」な識別情報が検出されるときに、受信されるデータの移行をトリガする切り替え間隔に保護間隔内のデータが移行される。オプションとして、受信機は代替的に、保護間隔内の位置フィールドに基づいて、データを移行する必要がある切り替え間隔を決定してよい。
【００９０】
上述の２つの異なるシステム構成において、受信機は異なる方式でデータ移行要求を送信してもよい。具体的に言うと、第１システム構成において、切り替え間隔内の識別情報が「無効」であることを受信機が検出する場合は、受信機は第１データ移行要求を生成し、第１データ移行要求に含まれる第１データ移行識別子が真である。加えて、受信機はローカル伝送機に第１データ移行要求を送信する。
【００９１】
第２システム構成において、切り替え間隔内の識別情報が「有効」であることを受信機が検出するが、切り替え間隔内のデータを破棄する場合は、受信機はローカル伝送機に通知を送信して、データ移行操作を実行するようローカル伝送機に命令する。
【００９２】
オプションとして、第２システム構成において、受信機が連続データ周期でビーム調整要求を受信し、かつ、切り替え間隔内のデータを破棄した回数が閾値に到達する場合は、受信機は、特殊な動作モードを開始するようピア伝送機に命令する。加えて、ピア伝送機が特殊な動作モードに入った後に、ビーム調整要求の数が連続データ周期において切り替え間隔で閾値に到達しない場合は、受信機は、特殊な動作モードを終了するようピア伝送機に命令する。
【００９３】
４．第１システム構成および第２システム構成における同期原理
【００９４】
第１システム構成で定義されるシステムでは、２つの通信デバイス間に双方向通信リンクがあり、これら２つのデバイスでは、伝送方向および受信方向の両方における双方向リンクのデータフローがビーム調整アクションの影響を受ける。例えば、周波数分割二重モードまたは全二重モードで動作する送受信共通アンテナデバイスの場合は、受信すべきデータフレームシーケンスおよび送信すべきデータフレームシーケンスが並行して伝送され、伝送チャネルおよび受信チャネルが同じアンテナフィーダシステムを使用する。アンテナビーム調整は伝送方向および受信方向におけるデータフローに影響を及ぼす。
【００９５】
このシステム構成では、双方向データフローにおける切り替え間隔が同期的に位置合わせされる結果、任意のデバイス内の伝送ビームおよび受信ビームが調整されるときに双方向データ伝送が保護され得る。
【００９６】
図６ａは、第１システム構成における同期データフローの概略構造図である。互いに通信する２つのデバイスがサイトＡの伝送機ＴｘおよびサイトＢの受信機Ｔｘであると仮定する。これら２つのデバイスにおける送信すべきデータフレームシーケンスでは、切り替え間隔が同期的に位置合わせされる。しかしながら、電磁波伝送遅延の存在に起因して、高速通信システムでは、デバイスで受信するために使用されるデータフレームとピアエンドにより送信されるデータフレームとの間に時間長ΔＴの遅延が存在し、時間長ΔＴは１つのデータ周期より小さい。従って、同じデバイスの受信データフローと伝送データフローとの間に時間長ΔＴの置き違いが存在する。ビーム調整により生じる伝送データフローおよび受信データフローへのダメージを回避すべく、伝送切り替え間隔および受信切り替え間隔が重複する時間内に実際のビーム調整アクションが実行される。具体的には、切り替え間隔（Ｆｌｅｘ  Ｓ）の指定された時間間隔で実際のビーム調整時間に少なくともΔＴが追加され、例えば伝送機の確保された切り替え継続時間がΔＴ＋Ｔである。
【００９７】
図６ｂに示すように、別の考えられるケースには、伝送遅延が大きいか、またはデータフロー構造周期が極めて短いときに、生成される伝送遅延がデータ周期より大きいといったものがある。この場合は、伝送切り替え間隔および受信切り替え間隔の重複領域が実際のビーム調整継続時間をカバーし、調整継続時間を変更するための要件を満たすことができるよう、切り替え間隔の長さを伸ばす必要がある。この場合は、切り替え間隔をΔＴ−Ｋだけ伸ばす必要があり、Ｋは１つのデータ周期の時間長を表し、ΔＴは伝送遅延を表し、伝送遅延は、データがサイトＡの伝送機ＴｘからサイトＢの受信機Ｒｘに伝送されるときに生成される時間間隔、または、データがサイトＢの伝送機ＴｘからサイトＡの受信機Ｒｘに伝送されるときに生成される時間間隔である。図６ｂに示すように、切り替え間隔内の確保された切り替え継続時間はＴ＋ΔＴ−Ｋである。
【００９８】
加えて、第２システム構成で定義されるシステムにおいて、２つの通信デバイス間にある単方向通信リンクは１つだけである。代替的に、双方向通信リンクがあるが、これら２つのデバイスでは、伝送方向および受信方向の両方における双方向リンクのデータフローがビーム調整アクションの影響を受けない。例えば、周波数分割二重モードまたは全二重モードで動作する伝送／受信独立アンテナフィーダデバイスの場合は、任意のデバイスにおける伝送／受信ビームの調整が独立して制御され得る。代替的に、時分割二重モードで動作する送受信共通アンテナデバイスの場合は、受信データフローおよび伝送データフローが交互に伝送され、１つのビーム調整アクションが伝送に影響を及ぼす単方向データフローは１つだけである。
【００９９】
このシステム構成では、双方向データフローにおける切り替え間隔が完全に非同期であってよく、各リンク方向におけるビーム調整アクションが、当該リンク方向におけるデータフロー構造を参照して独立して実行される。
【０１００】
図６ｃは、第２システム構成における単方向データフローの概略構造図である。このデータフロー構造では、１つのリンク方向において、サイトＡの伝送機Ｔｘは、伝送機Ｔｘがデータフローを送信する切り替え間隔でビーム調整を実行し、ピアサイトＢの受信機Ｒｘは、受信機Ｒｘがデータフローを受信する切り替え間隔でビーム調整を実行する。その結果、無効の切り替えオーバヘッドがビーム調整時間オーバヘッドと同じであることが保証され、リンク上の伝送遅延により生じる余分なオーバヘッドが回避される。
【０１０１】
以下では、上述のデータフレーム構造、データを満たす原理、受信機動作原理、およびシステム同期原理を参照しながら本願の技術的解決策について説明する。
【０１０２】
［実施形態１］
本実施形態では、全二重移動通信システムにおいて基地局並びに移動局デバイス内の伝送デバイスおよび受信デバイスが１つのビーム調整可能なアンテナフィーダシステムを共有して双方向通信を実行する場合について説明する。この場合は、システム全体が上記の第１システム構成で動作する。
【０１０３】
具体的に言うと、第１システム構成は第１ネットワークデバイスおよび第２ネットワークデバイスを含む。本実施形態では、第１ネットワークデバイスが基地局であり、かつ、第２ネットワークデバイスが端末である例を説明に使用する。基地局はビーム制御ユニット、第１伝送デバイス、および第１受信デバイスを含む。更に、ビーム制御ユニットは、ビーム調整要求を生成および送信するように構成される。
【０１０４】
本実施形態は、生成されるデータフレームシーケンス内のデータを基地局の第１伝送デバイスおよび第１受信デバイスが交換することに基づいて説明される。
【０１０５】
基地局内のビーム制御ユニットがデバイスビームを調整する必要があるときに、ビーム制御ユニットはビーム調整要求を生成し、第１伝送デバイスおよび第１受信デバイスの両方にビーム調整要求を送信する。ビーム調整要求は、ビーム調整を実行するよう第１伝送デバイスおよび第１受信デバイスに命令するために使用される。
【０１０６】
具体的には、図７ａにデータ伝送方法の手順を示す。
【０１０７】
段階７０１：第１伝送デバイスは第１データフレームシーケンスを生成する。第１データフレームシーケンスは、同じ構造を有する複数のデータフレームを含み、これらのデータフレームはピア第２ネットワークデバイスに送信される。例えば、第１データフレームシーケンスは第１データフレームを含み、第１データフレームは切り替え間隔および保護間隔を含み、切り替え間隔は第１間隔ヘッダおよび第１ペイロード領域を含み、第１間隔ヘッダは第１識別情報を含み、第１識別情報は、第１識別情報が配置される切り替え間隔の第１ペイロード領域内のデータの有効性を示すために使用される。第１ペイロード領域は、データ、例えば有効なデータまたは無効なデータを保持するために使用される。加えて、第１データフレームは第１データ周期に対応する。
【０１０８】
段階７０２：第１伝送デバイスは、第１データ周期内にビーム調整要求が受信されるかどうかを検出し、ビーム調整要求が受信される場合に、第１データフレームの切り替え間隔内の第１識別情報を無効に設定する、または、ビーム調整要求が受信されない場合に、第１識別情報を有効に設定する。
【０１０９】
具体的に言うと、段階７０２では、使用される送信すべきデータフレームシーケンス内の各データフレームの切り替え間隔が到来するときに、第１伝送デバイスは、ビーム制御ユニットからのビーム調整要求が受信されるかどうかを検出する。ビーム制御ユニットからのビーム調整要求が受信される場合は、現在のデータ周期に対応するデータフレームの切り替え間隔（Ｆｌｅｘ  Ｓ）内の識別情報が「無効」に設定され、冗長な無効なデータが切り替え間隔に満たされる。この場合は、現在の切り替え間隔は無効なデータおよび「無効」な識別情報を含み、次に当該切り替え間隔でビーム調整が実行され、ビーム制御ユニットに通知される。ビーム制御ユニットからのビーム調整要求が受信されない場合は、現在の切り替え間隔内の識別情報が「有効」に設定され、当該切り替え間隔に有効なデータが満たされる。
【０１１０】
識別情報はバイナリモードで間隔内のデータの有効性を示してよい。例えば、バイナリの００はデータが無効であることを示し、０１はデータが有効であることを示す。代替的に、識別情報は、シーケンス文字列を使用することにより間隔内のデータの有効性を示してよい。例えば、シーケンス文字列に対する相関演算が実行され、シーケンス文字列が第１識別情報のシーケンス文字列と同様である場合に、それはデータが有効であることを示す、または、シーケンス文字列が第１識別情報のシーケンス文字列と同様でない場合に、それはデータが無効であることを示す。加えて、切り替え間隔内のデータの有効性は代替的に別の方式で示され得る。これについては本願で限定しない。
【０１１１】
段階７０３：第１伝送デバイスは第１データフレームを送信する。
【０１１２】
具体的に言うと、第１伝送デバイスは、第１識別情報が設定される第１データフレームを第２ネットワークデバイスの受信機に送信する、または、第１伝送デバイスは第１データフレームシーケンスに第１データフレームを設定し、第２ネットワークデバイスの受信機が、第１データフレームシーケンス内の第１データフレームを受信することにより第１伝送デバイスの状態を取得する。
【０１１３】
加えて、第１伝送デバイスは更に、現在の第１データフレームの切り替え間隔内の第１識別情報を記憶する。
【０１１４】
オプションとして、伝送遅延が、現在使用されているデータフレームの１つのデータ周期より大きいことがシステム同期中に検出される場合は、第１伝送デバイスは更に、現在のデータ周期の直前の周期における切り替え間隔内の識別情報を記憶する。同様に、伝送遅延が２つのデータ周期より大きいことが検出される場合は、第１伝送デバイスは、現在のデータ周期の前の第２データ周期における切り替え間隔内の識別情報を記憶する。残りは類推で推定することができる。
【０１１５】
本実施形態の特定の実装において、第１データフレームは更に保護間隔を含み、保護間隔は第２間隔ヘッダおよび第２ペイロード領域を含み、第２間隔ヘッダは第２識別情報を含み、第２識別情報は、第１データフレームの第２ペイロード領域内のデータの有効性を示すために使用される。オプションとして、保護間隔は第１データフレームの切り替え間隔の後に配置され、保護間隔の長さは切り替え間隔の長さより長いか等しい。
【０１１６】
第１データフレームが送信される前に、方法は更に、第１伝送デバイスが第１データフレーム内の第２識別情報の有効性を設定する段階を含む。
【０１１７】
具体的には、図７ｂにその段階を示す。段階７０４：第１伝送デバイスは第１受信デバイスから第１データ移行要求を受信し、第１データ移行要求は第１データ移行識別子を含む。
【０１１８】
段階７０５：伝送遅延および／または位置情報に基づいて第１対象切り替え間隔を決定する。第１対象切り替え間隔は第１データフレームの前のＮ番目のデータフレームの切り替え間隔であるか、または第１データフレームの切り替え間隔であり、Ｎ≧１であり、伝送遅延は、データが第１伝送デバイスから第２受信デバイスに伝送されるときに生成される時間間隔、または、データが第２伝送デバイスから第１受信デバイスに伝送されるときに生成される時間間隔であり、位置情報は、データフレームシーケンス内の各データフレームの位置を示すために使用される位置番号を含む。
【０１１９】
第１対象切り替え間隔は、同じデータフレームの切り替え間隔、または履歴データフレームの切り替え間隔であってよい。具体的には、伝送遅延および／または位置情報に基づいて対象切り替え間隔を決定する段階が以下の段階を含む。
【０１２０】
第１に、対象切り替え間隔は伝送遅延に基づいて決定される。
【０１２１】
伝送遅延がΔＴであると仮定し、第１ネットワークデバイスの受信機が切り替え間隔内の無効な第１識別情報を受信するときに、それは第２ネットワークデバイスの伝送機がΔＴの前のある時点でビーム切り替えを実行することを示す。この場合は、第２ネットワークデバイスの受信機がビーム切り替えに起因してデータフレームシーケンス内の切り替え間隔内のデータを確実に破棄し、更には、第１ネットワークデバイスの伝送機が切り替え間隔内のデータを時点２ΔＴの前に第２ネットワークデバイスに送信することが更に推定され得る。従って、第１ネットワークデバイスは２ΔＴに基づいて対象切り替え間隔を決定してよい。
【０１２２】
具体的には、２ΔＴ／Ｔの比率が計算されてよく、Ｔはデータ周期を表す。計算された比率を予め設定された範囲と比較して、対象切り替え間隔が現在のデータフレームの切り替え間隔であるか履歴データフレームの切り替え間隔であるかを決定し、予め設定された範囲はシステム状況に基づいて設定され得る。例えば、計算された比率が１より小さいときに、現在検出されているデータフレームの切り替え間隔を対象切り替え間隔として使用することが決定され得る、または、比率が１と２の間であるときに、現在検出されているデータフレームの前の第１データフレームに対応する切り替え間隔が対象切り替え間隔として使用され得る。
【０１２３】
第２に、対象切り替え間隔は位置情報に基づいて決定される。
【０１２４】
伝送遅延を決定するのが難しいか、または伝送遅延を正確に取得できないときに、対象切り替え間隔は位置情報に基づいて決定され得る。具体的には、第１ネットワークデバイスおよび第２ネットワークデバイスがＧＰＳまたは１５８８プロトコルを使用することによりクロック同期を実行した後に、同じ時点から開始して、第１ネットワークデバイスおよび第２ネットワークデバイスは、伝送データフローにおける切り替え間隔に対して、０、１、２、３、...、Ｍ、０、１、２、...、およびＭなどの周期的な番号付けを実行する。０からＭまでの数が１つの繰り返し周期のものである。第１ネットワークデバイスは、受信機と伝送機との間の数の差Ｄを計算し、切り替え間隔に記憶する。第１ネットワークデバイスの受信機がＸと番号付けされた無効な間隔情報識別子を受信するときは、算術式（Ｘ−２Ｄ）ｍｏｄ  Ｍを使用して対象切り替え間隔の数Ｎを計算してよい。
【０１２５】
繰り返し周期における０からＭと番号付けされたデータフレームの伝送時間が伝送遅延の２倍より大きい場合は、第１ネットワークデバイスは、同じ繰り返し周期におけるＮと番号付けされた切り替え間隔が対象切り替え間隔であると決定する。データフレームの伝送時間が伝送遅延の２倍より小さい場合は、伝送遅延および位置情報に基づいて対象切り替え間隔を決定する必要がある。
【０１２６】
第３に、対象切り替え間隔は伝送遅延および位置情報に基づいて決定される。
【０１２７】
２番目の方法を使用することにより対象切り替え間隔の数Ｎが計算された後に、対象切り替え間隔Ｎと現在の時点との間の時間間隔が伝送遅延の２倍より小さい場合に、現在の繰り返し周期の直前の繰り返し周期における数Ｎに対応する切り替え間隔が対象切り替え間隔として選択され得る。
【０１２８】
段階７０６：第１データ移行識別子が真であるかどうか、および、第１対象切り替え間隔内の第１識別情報が有効であるかどうかを検出する。
【０１２９】
段階７０７：第１データ移行識別子が真であり、かつ、第１対象切り替え間隔内の第１識別情報が有効である場合に、第１データフレームの保護間隔内の第２識別情報を無効に設定し、保護間隔に有効なデータを満たすことを一時停止し、そうでなければ、第１データフレーム内の第２識別情報を有効に設定し（段階７０８）、通常は有効なデータを満たす。
【０１３０】
１つの考えられる実装には、第１データ移行要求が第１データ移行識別子を含まないときに、第１伝送デバイスが第１受信デバイスから第１データ移行要求を受信し、かつ、第１対象切り替え間隔に対応する第１識別情報が有効であるときにのみ、第１伝送デバイスが第１データフレームの保護間隔内の第２識別情報を無効に設定してよいといったものがある。
【０１３１】
更に、方法は更に段階７０９を含む。段階７０９では、第１データフレーム内の第２識別情報が無効であるときに、第１伝送デバイスは第１データフレームの保護間隔の第２ペイロード領域に第１対象切り替え間隔の第１ペイロード領域内のデータを移行し、第１データフレームの第２ペイロード領域の長さは第１対象切り替え間隔の第１ペイロード領域の長さより長いか等しい。
【０１３２】
段階７０６では、第１データ移行識別子が真であり、かつ、第１識別情報が「有効」であることが検出される場合に加えて、第１データ移行識別子が真であり、第１識別情報が「無効」である、第１データ移行識別子が偽であり、第１識別情報が「有効」である、および、第１データ移行識別子が偽であり、第１識別情報が「無効」であるといった３つの場合が更に含まれる。これら３つの場合の全てにおいて、第１データフレームの保護間隔内の第２識別情報を有効に設定し、通常は有効なデータを満たす段階は実行される。
【０１３３】
別の態様によれば、本実施形態は更に、第１ネットワークデバイスの第１受信デバイスに適用されるデータ伝送方法を提供する。図８ａに示すように、方法は以下の段階を含む。
【０１３４】
段階８０１：第１受信デバイスは第２データフレームシーケンスを受信する。第２データフレームシーケンスは第２データフレームを含み、第２データフレームは切り替え間隔を含み、切り替え間隔は第１識別情報を含み、第２データフレームは第２データ周期に対応する。
【０１３５】
第２データフレームシーケンスは、第１ネットワークデバイスのピアエンドの第２ネットワークデバイスにより生成および送信され得る。第２データフレームシーケンスは、第１データフレームシーケンス内のものと同じ構造を有する少なくとも１つのデータフレームを含む。例えば、第２データフレームは含まれ、第２データフレームは切り替え間隔および保護間隔を含み、切り替え間隔は第１識別情報を含み、保護間隔は第２識別情報を含む。
【０１３６】
段階８０２：第１受信デバイスは、第２データフレーム内の第１識別情報が有効であるかどうかを検出する。
【０１３７】
段階８０３：第１識別情報が無効である場合に、第１データ移行要求を生成する。オプションとして、第１データ移行要求は第１データ移行識別子を保持し、第１データ移行識別子は真である。第１データ移行要求は、段階７０４で第１伝送デバイスにより受信されるデータ移行要求と同じである。
【０１３８】
段階８０４：第１受信デバイスは第１伝送デバイスに第１データ移行要求を送信する。
【０１３９】
方法は更に段階８０５を含む。段階８０５では、第２データフレーム内の第１識別情報が有効であると第１受信デバイスが検出する場合に、第１受信デバイスは、ビーム調整要求が受信されるかどうかを第２データフレームに対応する第２データ周期内に検出する。
【０１４０】
段階８０６：ビーム調整要求が受信される場合に、第２データフレームの切り替え間隔の第１ペイロード領域内のデータを破棄し、受信されるデータ移行識別子を第２データフレームの切り替え間隔に設定する。受信されるデータ移行識別子は、受信する必要がある移行されたデータを示すために使用される。
【０１４１】
段階８０７：ビーム調整要求が受信されない場合に、第２データ周期内に第２データフレームの切り替え間隔の第１ペイロード領域内のデータを受信し続ける。
【０１４２】
本実施形態では、第２データフレームは更に保護間隔を含み、保護間隔は第２間隔ヘッダおよび第２ペイロード領域を含み、第２識別情報は第２間隔ヘッダに設定され、第２識別情報が配置される保護間隔の第２ペイロード領域内のデータの有効性を示すために使用される。方法は更に、第２識別情報の有効性を設定する段階を含む。具体的に言うと、図８ｂに示すように、方法は以下の段階を含む。
【０１４３】
段階８０８：第１受信デバイスは、第２データフレームの保護間隔内の第２識別情報が有効であるかどうかを検出する。
【０１４４】
段階８０９：第２識別情報が有効である場合に、第２データフレームの第２ペイロード領域内のデータを受信する。
【０１４５】
段階８１０：第２識別情報が無効である場合に、第２データフレームの保護間隔の前の全ての切り替え間隔から第２対象切り替え間隔を検索することであって、第２対象切り替え間隔は、受信されるデータ移行識別子を有し、かつ、時間の観点から第２データフレームの保護間隔に最も近い切り替え間隔である、検索すること、および、第２対象切り替え間隔の第１ペイロード領域に第２データフレームの第２ペイロード領域内のデータを移行することを行う。各データフレームでは、切り替え間隔が保護間隔の前に配置される。
【０１４６】
具体的に言うと、第２対象切り替え間隔を決定するプロセスでは、まず、前に記録された履歴データフレーム内の受信されるデータ移行識別子を有する切り替え間隔が検索され、次に、現在のデータフレームの保護間隔に最も近い切り替え間隔が第２対象切り替え間隔として決定される。
【０１４７】
本実施形態で提供するデータ伝送方法によれば、第１システム構成における双方向通信リンク上のデータフレームシーケンスに同期の特徴があり、かつ、ビーム調整が伝送方向および受信方向の両方におけるリンクに影響を及ぼすことから、伝送デバイスは、送信されるデータフレーム内の第１識別情報を構成し、第１識別情報は、伝送デバイスのローカル受信機がこの時点で切り替え間隔のデータを効果的に受信しているかどうかに関する情報も保持する。その結果、ローカル伝送デバイスおよびローカル受信デバイスがピアネットワークデバイスに要求を別々に送信することが防止され、これにより、伝送遅延が減少し、切り替え効率が高まる。
【０１４８】
具体的に言うと、ローカル第１伝送デバイスは、ビーム調整中に切り替え間隔内の第１識別情報を「無効」に設定する。「無効」な識別情報を受信した後に、ローカル第１受信デバイスは、ピア第２伝送デバイスが切り替え間隔でビーム調整を実行することを認識する。従って、ピア第２受信デバイスも、ビーム調整に起因して受信データフローにおける切り替え間隔内のデータを破棄することが推定され得る。従って、ローカルデバイスは、ローカルエンドデバイスの履歴データフレームシーケンスに記録された切り替え間隔内の識別情報の有効性をチェックして、ピア第２受信デバイスにより破棄される切り替え間隔内のデータに有効なデータが含まれるかどうかを決定し、ビーム調整中に破棄される切り替え間隔内のデータを次のデータフレームの保護間隔に移行する必要があるかどうかを決定してよい。
【０１４９】
本実施形態では、識別情報を保持する特殊なデータフレーム構造を使用して両端の状態を転送する。その結果、両端のデバイスは独立してピアデバイスのデータフロー状態を認識し、適時的かつ信頼できる方式で自動データ移行アクションを実行することができ、これにより、データ相互作用の応答遅延が短縮され、データ伝送の信頼性および適時性が高まる。
【０１５０】
本実施形態の技術的解決策では、ローカル基地局側を例として使用することに留意されたい。ピア端末側の第２伝送デバイスおよび第２受信デバイスにより実行される方法の段階は、ローカルエンドの第１伝送デバイスおよび第１受信デバイスにより実行される段階と同じであることから、詳細については説明しない。
【０１５１】
［実施形態２］
本実施形態は、ポイントツーポイントのマイクロ波バックホールシステムに適用され得る。２つのサイトがマルチ周波数ポイントとマルチモードとの組み合わせ通信方式で双方向通信を実行し、互いに分離された伝送アンテナおよび受信アンテナを使用してアイソレーションを高めてよい。伝送アンテナおよび受信アンテナの各々に、通信中のタワーまたはポールの揺れを防止するビーム調整機能がある。
【０１５２】
当該システムでは、双方向リンク上のデータフロー構造を同期する必要がなく、１つのサイトのデバイス内の伝送アンテナおよび受信アンテナが、送信すべきデータフレームシーケンスおよび受信すべきデータフレームシーケンスと別々に同期し、次に独立したビーム切り替えを実行する。この場合は、システム全体が、図５に示す第２システム構成のような状態で動作する。
【０１５３】
第２システム構成は少なくとも２つのネットワークデバイス、例えば第１ネットワークデバイスおよび第２ネットワークデバイスを含む。各ネットワークデバイスは、伝送デバイス（伝送機）および受信デバイス（受信機）を含んでよい。加えて、第１ネットワークデバイスの伝送機により第２ネットワークデバイスの受信機に伝送されるデータがデータフレームシーケンスにより表されてよく、第２ネットワークデバイスの伝送機により第１ネットワークデバイスの受信機に伝送されるデータが別のデータフレームシーケンスにより表されてよい。これら２つのデータフレームシーケンスは必ずしも互いに関連しておらず、互いに独立していてよい。
【０１５４】
本実施形態では、第１ネットワークデバイスの伝送機が第２ネットワークデバイスの受信機にデータを送信する例を使用する。あるデータ伝送プロセスにおける第１ネットワークデバイスのデータ伝送プロセスの動作手順を図９に示す。
【０１５５】
第１ネットワークデバイスのビーム制御ユニットがデバイスビーム調整を実行する必要があるときに、ビーム制御ユニットは第１伝送デバイスにビーム調整要求を送信し、第２ネットワークデバイスの第２受信デバイスに通知を送信して、ビーム調整要求を受信するよう第２受信デバイスに命令する。
【０１５６】
方法は具体的に、第１伝送デバイスが第１データフレームシーケンスを生成する段階であって、第１データフレームシーケンスは第１データフレームを含み、第１データフレームは切り替え間隔を含み、切り替え間隔には第１識別情報が設定され、第１データフレームは第１データ周期に対応する、段階と、第１伝送デバイスが、第１データ周期内にビーム調整要求が受信されるかどうかを検出し、ビーム調整要求が受信される場合に、第１データフレームの切り替え間隔内の第１識別情報を無効に設定する、または、ビーム調整要求が受信されない場合に、第１識別情報を有効に設定する段階と、第１伝送デバイスが第１データフレームを送信する段階とを含む。この段階は上述の実施形態における段階７０１から段階７０３と同じであり、上述の説明を参照されたい。詳細については改めて説明しない。
【０１５７】
実施形態１と実施形態２との違いは、第１データフレーム内の第２識別情報の有効性を設定するプロセスにある。当該プロセスは具体的に以下の段階を含む。
【０１５８】
図９に示すように、段階９０１では、第１伝送デバイスが、第２受信デバイスからの第２データ移行要求が受信されるかどうかを検出するか、または、第２データ移行要求が受信されるかどうか、および、第２データ移行要求に保持される第２データ移行識別子が真であるかどうかを検出する。
【０１５９】
段階９０２：第２データ移行要求が受信される場合、または、第２データ移行要求が受信され、かつ、第２データ移行識別子が真である場合に、第１データフレーム内の第２識別情報を無効に設定する。
【０１６０】
段階９０３：第２データ移行要求が受信されない場合に、第２識別情報を有効に設定し、保護間隔のペイロード領域に有効なデータを満たす。
【０１６１】
方法は更に以下の段階を含む。
【０１６２】
段階９０４：第１データフレーム内の第２識別情報が無効であるときに、第１伝送デバイスは伝送遅延および／または位置情報に基づいて第１対象切り替え間隔を決定する。第１対象切り替え間隔は第１データフレームの前のＮ番目のデータフレームの切り替え間隔、または第１データフレームの切り替え間隔であり、Ｎ≧１であり、Ｎは正の整数である。
【０１６３】
伝送遅延は、データが第１伝送デバイスから第２受信デバイスに伝送されるときに生成される時間間隔、または、データが第２伝送デバイスから第１受信デバイスに伝送されるときに生成される時間間隔を含む。位置情報は、移行する必要があるデータフレームの位置番号を示すために使用され、伝送されるデータフレームシーケンス内の各データフレームの位置番号が事前構成によって生成され得る。
【０１６４】
更に、本実施形態では、非二重モードにおいて、伝送遅延および／または位置情報に基づいて対象切り替え間隔を決定するための方法は実施形態１の方法と同様であるが、固定遅延時間Ｐを追加する必要があり、かつ、Ｐが１つのデータ周期より小さい点に違いがある。
【０１６５】
遅延時間Ｐは、ビーム切り替えを実行する必要があることを受信デバイスが検出する時点で受信デバイスにより計算され得る。なぜなら、受信デバイスはビーム調整中にピア伝送デバイスにフィードバックメッセージを送信して、ピア伝送デバイスに受信デバイスの現在の状態を通知する必要があるからである。通常、フィードバックメッセージはデータフレームのフレームヘッダに構成される。データフレームを受信する場合、データフレームのフレームヘッダは、受信デバイスがフィードバックメッセージを送信するときに渡されている。従って、現在のデータフレームを読み取ってから次のデータフレームのフレームヘッダにフィードバックメッセージを構成するには一定の期間がかかり、現在のデータフレームの残りの部分を読み取るための時間が、追加する必要がある固定遅延Ｐとして設定される。
【０１６６】
対象切り替え間隔を決定するための特定の方法は以下を含む。
【０１６７】
伝送遅延ΔＴが取得される場合は、ビーム調整の後に、第２ネットワークデバイスは固定遅延時間Ｐの後にデータ移行要求を送信する。データ移行要求を受信した後に、第１ネットワークデバイスはＰ＋２ΔＴに基づいて対象切り替え間隔を決定する。具体的には、例えば、（Ｐ＋２ΔＴ）／Ｔの比率が計算され、当該比率および予め設定され値に基づいて対象切り替え間隔が決定される。比較結果については、実施形態１の伝送遅延に基づいて対象切り替え間隔を決定するプロセスを参照されたい。詳細については改めて説明しない。
【０１６８】
伝送遅延を取得するのが難しい場合は、位置情報を使用することにより対象切り替え間隔が決定され得る。具体的に言うと、第１ネットワークデバイスおよび第２ネットワークデバイスは、伝送データフローにおける切り替え間隔に対して、０、１、２、３、...、Ｍ、０、１、２、...、などの周期的な番号付けを別々に実行する。０からＭまでの数が１つの繰り返し周期のものである。ビームを切り替え、切り替え間隔内のデータを破棄した後、第２ネットワークデバイスの受信機は、固定遅延時間Ｐの後に、データが破棄される切り替え間隔に対応する数をデータ移行要求と共に第１ネットワークデバイスに送信する。
【０１６９】
繰り返し周期における０からＭと番号付けされたデータフレームの継続時間がＰ＋２ΔＴより大きいときに、第１ネットワークデバイスは、同じ繰り返し周期におけるＮと番号付けされた切り替え間隔が対象切り替え間隔であると決定し、Ｎは対象切り替え間隔の計算された数である、または、繰り返し周期における０からＭと番号付けされたデータフレームの継続時間がＰ＋２ΔＴより小さいときに、現在の繰り返し周期の前の繰り返し周期における数Ｎに対応する切り替え間隔が対象切り替え間隔として選択され得る。
【０１７０】
段階９０５：第１データフレームの保護間隔の第２ペイロード領域に第１対象切り替え間隔の第１ペイロード領域内のデータを移行する。第１データフレームの第２ペイロード領域の長さは第１対象切り替え間隔の第１ペイロード領域の長さより長いか等しい。その結果、対象切り替え間隔内の全てのデータが保護間隔に移行され得る。
【０１７１】
第２ネットワークデバイスの第２受信デバイスが第２データ移行要求を生成および送信するプロセスが以下の段階を含む。
【０１７２】
段階１００１：第２受信デバイスは第１データフレームシーケンスを受信する。第１データフレームシーケンスは第１データフレームを含み、第１データフレームは切り替え間隔を含み、第１識別情報が切り替え間隔に設定される。
【０１７３】
段階１００２：第１データフレームの切り替え間隔内の第１識別情報が有効であるかどうかを検出する。
【０１７４】
段階１００３：第１識別情報が有効である場合に、第１データフレームに対応する第１データ周期内にビーム調整要求が受信されるかどうかを検出し、ビーム調整要求が受信される場合に、第２データ移行要求を生成する。
【０１７５】
オプションとして、第２データ移行要求を生成する段階は、内容が真である第２データ移行識別子と第２データ移行要求とを生成する段階を含む。
【０１７６】
段階１００４：第２受信デバイスは第１伝送デバイスに第２データ移行要求を送信する。
【０１７７】
オプションとして、第２受信デバイスが第１伝送デバイスに第２データ移行要求を送信する段階は、第２受信デバイスが、第２データ移行要求を使用することにより、内容が真である第２データ移行識別子を第１伝送デバイスに送信する段階を含む。
【０１７８】
加えて、第１データフレームは更に保護間隔を含み、保護間隔は第２間隔ヘッダおよび第２ペイロード領域を含み、第２識別情報が第２間隔ヘッダに設定され、第１データフレームの第２ペイロード領域内のデータの有効性を示すために使用される。方法は更に、第２受信デバイスが、第１データフレーム内の第２識別情報が有効であるかどうかを検出する段階、および、第２識別情報が有効である場合に、第１データフレームの第２ペイロード領域内のデータを受信し続ける段階、または、第２識別情報が無効である場合に、第１データフレームの保護間隔の前の全ての切り替え間隔から第１対象切り替え間隔を検索することであって、第１対象切り替え間隔は、受信されるデータ移行識別子を有し、かつ、時間の観点から第２データフレームの保護間隔に最も近い切り替え間隔である、検索すること、および、第２対象切り替え間隔の第１ペイロード領域に第２データフレームの第２ペイロード領域内のデータを移行することを行う段階を含む。
【０１７９】
具体的に言うと、第１対象切り替え間隔を決定するための条件は、受信されるデータ移行識別子が付与され、かつ、時間の観点から第１データフレームの保護間隔に最も近い切り替え間隔である。検出中、第１データフレームの保護間隔に最も近い第１データフレームの切り替え間隔から開始して、第１データフレームの切り替え間隔が対象切り替え間隔の条件を満たさない場合に、第１データフレームの前の第１データフレームの切り替え間隔に、受信されるデータ移行識別子が含まれるかどうかが検出され、受信されるデータ移行識別子が含まれる場合に、第１データフレームの前の第１データフレームの切り替え間隔は第１対象切り替え間隔として決定される、または、受信されるデータ移行識別子が含まれない場合に、第１データフレームの前の第２データフレームが条件を満たすかどうかが決定される。残りは類推で推定することができる。
【０１８０】
オプションとして、受信されるデータ移行識別子が真であるときに、検出されるデータフレームの保護間隔に最も近い切り替え間隔が対象切り替え間隔であることが代替的に検出され得る。
【０１８１】
オプションとして、第１ネットワークデバイスおよび第２ネットワークデバイスが本実施形態でデータを伝送するプロセスにおいて、一端のネットワークデバイスによりフィードバックされるデータ移行要求の密度が増加する場合、具体的には、継続的なデータ移行を実行する必要がある場合に、方法は更に以下を含む。
【０１８２】
第２ネットワークデバイスの受信デバイスが、現在の第１データフレームが受信された後に複数の連続データフレームに対応するデータ周期内にビーム調整要求を受信する場合に、開始命令が生成され、開始命令は、継続的なデータ移行操作を実行するよう第１ネットワークデバイスの伝送デバイスに命令するために使用され、開始命令は第１ネットワークデバイスに送信される。
【０１８３】
それに応じて、第２ネットワークデバイスから開始命令を受信した後に、第１ネットワークデバイスは、第１データフレームの第２ペイロード領域に第１対象切り替え間隔の第１ペイロード領域内のデータを移行することから開始して、移行すべきデータを各データフレームに対応する保護間隔の第２ペイロード領域に移行する。
【０１８４】
第２ネットワークデバイスの受信デバイスが、開始命令が生成された後に複数の連続データフレームに対応するデータ周期内にビーム調整要求を受信しない場合に、停止命令が生成され、停止命令は、継続的なデータ移行操作を停止するよう第１ネットワークデバイスの伝送デバイスに命令するために使用され、停止命令は第１伝送デバイスに送信される。
【０１８５】
それに応じて、停止命令を受信した後に、第１ネットワークデバイスは次のデータフレームから開始するデータ移行を停止する。
【０１８６】
本実施形態で提供する方法によれば、第２システム構成における双方向通信リンク上のデータフロー構造が非同期であり、ビーム調整が伝送方向および受信方向の両方における双方向リンクに影響を及ぼさない。従って、通常の動作モードでは、送信されるデータフレームシーケンスにおいて、データフレームの切り替え間隔内の識別情報の有効性を設定することは、ビーム調整要求の要件に基づいて決定され得る。受信デバイスが受信ビームを調整するときは、データフレームの切り替え間隔内の識別情報が「有効」な通信データである場合に、受信デバイスはまず、失われたデータを対応する保護間隔に移行し、次に、移行されたデータを伝送デバイスに再び送信するよう伝送デバイスに命令する必要がある。その結果、受信デバイスがデータ調整プロセスで重要なデータを失うことが防止される。
【０１８７】
本実施形態で提供する方法によれば、ローカルネットワークデバイスが継続的な揺れに起因して切り替え間隔内のデータを継続的に破棄するときに、開始される継続的な移行動作モードは、切り替え間隔に有効なデータを満たすことを一時停止して、ローカル受信デバイスのビーム調整に十分な時間を確保するようピアネットワークデバイスに命令してよい。このようにして、ローカル受信デバイスがピアエンドにデータ移行要求を継続的にフィードバックするときに生成されるオーバヘッドが回避され、伝送リソースが節約され、伝送効率が高まる。
【０１８８】
上述した本願の実施形態１および実施形態２で提供する方法によれば、データフレームシーケンス内の各データフレームは動的な機能間隔、例えば切り替え間隔および保護間隔に分割され、データ負荷調整方法を使用してビーム調整性能とデータ伝送効率との間の最適なバランスを実現して、切り替え間隔が高周波数で挿入されるよう保証することにより、ビーム調整周波数を高め、限界要件下でビーム調整速度を満たす。静的動作環境では、動的間隔のリソースが完全に使用されるよう更に保証することにより、データ伝送効率を高めることができる。
【０１８９】
第１システム構成では、データ移行の開始およびデータ移行への応答のために命令または通知をフィードバックする必要がなく、これにより、応答遅延が小さく、かつ、信頼性が高いといった有益な効果が得られる。第２システム構成では、少ないフィードバック通知のみに基づいて通常のデータ移行を実行する必要がある。フィードバック命令の密度が増加するときに、サイトは、ピアエンドからのフィードバックを全く必要とすることなく継続的なデータ移行を実行するための特殊な動作モードに適応的に切り替わり、これにより、フィードバック遅延により生じる受信機のビーム切り替えの適時性が回避される。
【０１９０】
上述した方法の実施形態に対応して、本願は更に、図７ａおよび図７ｂおよび図９のデータ伝送方法を実装するように構成される伝送デバイスまたは伝送機を提供する。詳細については図１１に示す。伝送デバイスは第１受信ユニット１１０１、第１処理ユニット１１０２、および第１伝送ユニット１１０３を含む。加えて、伝送デバイスは更に記憶ユニットなどの別の機能ユニットを含んでよい。
【０１９１】
更に、第１処理ユニット１１０２は、データフレームシーケンスを生成することであって、データフレームシーケンスは第１データフレームを含み、第１データフレームは切り替え間隔を含み、切り替え間隔は第１識別情報を含み、第１データフレームは第１データ周期に対応する、生成することと、および、第１データ周期内にビーム調整要求が受信されるかどうかを検出し、ビーム調整要求が受信される場合に、第１データフレームの切り替え間隔内の第１識別情報を無効に設定する、または、ビーム調整要求が受信されない場合に、第１識別情報を有効に設定することを行うように構成される。第１伝送ユニット１１０３は、第１データフレームを送信するように構成される。
【０１９２】
オプションとして、本実施形態の特定の実装において、切り替え間隔は第１間隔ヘッダおよび第１ペイロード領域を含み、第１間隔ヘッダは第１識別情報を含む。
【０１９３】
第１処理ユニット１１０２は更に、第１データ周期内にビーム調整要求を受信した後に、第１データフレームの切り替え間隔の第１ペイロード領域に無効なデータを満たし、第１データ周期内にビーム調整を実行する、または、第１データ周期内にビーム調整要求を受信しないときに、第１データフレームの切り替え間隔の第１ペイロード領域に有効なデータを満たすように構成される。
【０１９４】
オプションとして、本実施形態の別の特定の実装において、第１データフレームは更に保護間隔を含み、保護間隔は第２間隔ヘッダおよび第２ペイロード領域を含み、第２間隔ヘッダは第２識別情報を含む。
【０１９５】
第１処理ユニット１１０２は更に、第１データフレームの第２間隔ヘッダ内の第２識別情報の有効性を設定するように構成される。
【０１９６】
オプションとして、本実施形態の別の特定の実装において、第１処理ユニット１１０２は具体的に、伝送遅延および／または位置情報に基づいて第１対象切り替え間隔を決定すること、および、第１受信ユニットが第１受信デバイスから第１データ移行要求を受信することが検出され、かつ、第１対象切り替え間隔内の第１識別情報が有効である場合に、第１データフレームの保護間隔内の第２識別情報を無効に設定すること、そうでなければ、第２識別情報を有効に設定することを行うように構成され、第１対象切り替え間隔は第１データフレームの前のＮ番目のデータフレームの切り替え間隔であるか、または第１データフレームの切り替え間隔であり、Ｎ≧１である、または、第１処理ユニット１１０２は具体的に、伝送遅延および／または位置情報に基づいて第１対象切り替え間隔を決定すること、および、第１受信ユニットにより第１受信デバイスから受信される第１データ移行要求内の第１データ移行識別子が真であり、かつ、第１対象切り替え間隔内の第１識別情報が有効である場合に、第１データフレームの保護間隔内の第２識別情報を無効に設定すること、そうでなければ、第２識別情報を有効に設定することを行うように構成される。
【０１９７】
伝送遅延は、データが第１伝送デバイスから第２受信デバイスに伝送されるときに生成される時間間隔、または、データが第２伝送デバイスから第１受信デバイスに伝送されるときに生成される時間間隔である。位置情報は、データフレームシーケンス内の各データフレームの位置を示すために使用される位置番号を含む。
【０１９８】
更に、第１処理ユニット１１０２は更に、第１データフレーム内の第２識別情報が無効であるときに、第１データフレームの保護間隔の第２ペイロード領域に第１対象切り替え間隔の第１ペイロード領域内のデータを移行するように構成され、第１データフレームの第２ペイロード領域の長さは第１対象切り替え間隔の第１ペイロード領域の長さより長いか等しい。
【０１９９】
オプションとして、本実施形態の別の特定の実装では、第１受信ユニット１１０１が第２受信デバイスから第２データ移行要求を受信するときに、第１処理ユニット１１０２は第１データフレーム内の第２識別情報を無効に設定し、そうでなければ、第２識別情報を有効に設定する、または、第１受信ユニットを使用することにより第２データ移行要求が受信され、かつ、第２データ移行要求に保持される第２データ移行識別子が真であるときに、第１データフレーム内の第２識別情報を無効に設定し、そうでなければ、第２識別情報を有効に設定する。
【０２００】
オプションとして、本実施形態の別の特定の実装において、第１処理ユニット１１０２は更に具体的に、第１データフレーム内の第２識別情報が無効であるときに、伝送遅延および／または位置情報に基づいて第１対象切り替え間隔を決定することであって、第１対象切り替え間隔は第１データフレームの前のＮ番目のデータフレームの切り替え間隔であるか、または第１データフレームの切り替え間隔であり、Ｎ≧１である、決定すること、および、第１データフレームの保護間隔の第２ペイロード領域に第１対象切り替え間隔の第１ペイロード領域内のデータを移行することであって、第１データフレームの第２ペイロード領域の長さは第１対象切り替え間隔の第１ペイロード領域の長さより長いか等しい、移行することを行うように構成される。
【０２０１】
オプションとして、本実施形態の別の特定の実装において、第１受信ユニット１１０１は更に開始命令および停止命令を受信するように構成され、第１処理ユニット１１０２は具体的に、開始命令が受信されるときに、第１データフレームの第２ペイロード領域に第１対象切り替え間隔の第１ペイロード領域内のデータを移行することから開始して、移行すべきデータを各データフレームに対応する保護間隔の第２ペイロード領域に移行すること、および、停止命令を受信するときに、次のデータフレームから開始するデータ移行を停止することを行うように構成される、
【０２０２】
本実施形態において、伝送デバイスはデータフレーム、または識別情報を保持するデータフレームシーケンスを生成し、ビーム調整要求を受信する状態に基づいて第１識別情報の有効性を設定する。その結果、データフレームを受信するときに、受信デバイスは、データフレーム内の第１識別情報の有効性に基づいて、伝送デバイスがビーム調整を実行しているかどうかを決定し、伝送デバイスの状態に基づいて、対応するフィードバックアクションを実行することができる。従って、伝送デバイスがビーム調整中に受信デバイスに要求を別々に送信することが防止され、要求を送信する相互作用プロセスでの伝送遅延が回避されることにより、ビーム切り替え効率が高まる。
【０２０３】
上述した方法の実施形態に対応して、本願は更に、図８ａ、図８ｂおよび図１０においてデータ伝送方法を実装するように構成される受信デバイスまたは伝送機を提供する。具体的には、図１２に示すように、第１ネットワークデバイスの受信デバイスを例として使用すると、受信デバイスは第２受信ユニット１２０１、第２処理ユニット１２０２、および第２伝送ユニット１２０３を含む。加えて、受信デバイスは更に記憶ユニットなどの別の機能ユニットを含んでよい。
【０２０４】
第２受信ユニット１２０１は、第２データフレームシーケンスを受信するように構成され、第２データフレームシーケンスは第２データフレームを含み、第２データフレームは切り替え間隔を含み、切り替え間隔は第２間隔ヘッダを含み、第２間隔ヘッダは第２識別情報を含み、第２識別情報は、切り替え間隔内のデータの有効性を示すために使用される。
【０２０５】
第２処理ユニット１２０２は、第２データフレームの切り替え間隔内の第２識別情報が有効であるかどうかを検出し、第２識別情報が無効である場合に、第１データ移行要求を生成するように構成される。
【０２０６】
第２伝送ユニット１２０３は、第１データ移行要求を送信するように構成される。
【０２０７】
オプションとして、本実施形態の特定の実装において、第２処理ユニット１２０２は更に、第２データフレーム内の第１識別情報が有効である場合に、ビーム調整要求が受信されるかどうかを第２データフレームに対応する第２データ周期内に検出すること、および、ビーム調整要求が受信される場合に、第２データフレームの切り替え間隔の第１ペイロード領域内のデータを破棄し、受信されるデータ移行識別子を第２データフレームの切り替え間隔に設定すること、または、ビーム調整要求が受信されない場合に、第２データ周期内にデータを受信し続けることを行うように構成される。
【０２０８】
オプションとして、本実施形態の特定の実装において、第２データフレームは更に保護間隔を含み、保護間隔は第２間隔ヘッダおよび第２ペイロード領域を含み、第２識別情報が第２間隔ヘッダに設定され、第２識別情報が配置される保護間隔の第２ペイロード領域内のデータの有効性を示すために使用される。
【０２０９】
第２処理ユニット１２０２は更に、第２データフレームの保護間隔内の第２識別情報が有効であるかどうかを検出すること、および、第２識別情報が有効である場合に、第２受信ユニットを使用することにより第２データフレームの第２ペイロード領域内のデータを受信すること、または、第２識別情報が無効である場合に、第２データフレームの保護間隔の前の全ての切り替え間隔から第２対象切り替え間隔を検索することであって、第２対象切り替え間隔は、受信されるデータ移行識別子を有し、かつ、時間の観点から第２データフレームの保護間隔に最も近い切り替え間隔である、検索すること、および、第２対象切り替え間隔の第１ペイロード領域に第２データフレームの第２ペイロード領域内のデータを移行することを行うように構成される。
【０２１０】
受信デバイスがピア第２ネットワークデバイス、具体的には第２ネットワークデバイスの第２受信デバイスであるときに、第２受信デバイスは第３受信ユニット、第３処理ユニット、および第３伝送ユニットを含む。
【０２１１】
第３受信ユニットは、第１データフレームシーケンスを受信するように構成される。第１データフレームシーケンスは第１データフレームを含み、第１データフレームは切り替え間隔を含み、第１識別情報が切り替え間隔に設定される。
【０２１２】
第３処理ユニットは、第１データフレームの切り替え間隔内の第１識別情報が有効であるかどうかを検出すること、第１識別情報が有効である場合に、第１データフレームに対応する第１データ周期内にビーム調整要求が受信されるかどうかを検出すること、および、ビーム調整要求が受信される場合に、第２データ移行要求を生成し、第１データフレームの切り替え間隔の第１ペイロード領域内のデータを破棄し、受信されるデータ移行識別子を第１データフレームの切り替え間隔に設定することを行うように構成される。
【０２１３】
第３伝送ユニットは、第１伝送デバイスに第２データ移行要求を送信するように構成される。
【０２１４】
オプションとして、特定の実装において、第３処理ユニットは具体的に、内容が真である第２データ移行識別子と第２データ移行要求とを生成するように構成される。第３伝送ユニットは具体的に、第２データ移行要求を使用することにより、内容が真である第２データ移行識別子を第１伝送デバイスに送信するように構成される。
【０２１５】
加えて、第３処理ユニットは更に、第１データフレーム内の第２識別情報が有効であるかどうかを検出すること、および、第２識別情報が有効である場合に、第３受信ユニットを使用することにより第１データフレームの第２ペイロード領域内のデータを受信し続けること、または、第２識別情報が無効である場合に、第１データフレームの保護間隔の前の全ての切り替え間隔から第１対象切り替え間隔を検索することであって、第１対象切り替え間隔は、受信されるデータ移行識別子を有し、かつ、時間の観点から第１データフレームの保護間隔に最も近い切り替え間隔である、検索すること、および、第１対象切り替え間隔の第１ペイロード領域に第１データフレームの保護間隔の第２ペイロード領域内のデータを移行することを行うように構成される。
【０２１６】
オプションとして、特定の実装において、第３処理ユニットは更に、第１データフレームが受信された後に少なくとも１つの連続データフレームに対応するデータ周期内にビーム調整要求が受信される場合に、開始命令を生成するように構成され、開始命令は、継続的なデータ移行操作を実行するよう第１伝送デバイスに命令するために使用される。
【０２１７】
第３伝送ユニットは更に、第１伝送デバイスに開始命令を送信するように構成される。
【０２１８】
第３処理ユニットは更に、開始命令が生成された後に少なくとも１つの連続データフレームに対応するデータ周期内にビーム調整要求が受信されない場合に、停止命令を生成するように構成され、停止命令は、継続的なデータ移行操作を停止するよう第１伝送デバイスに命令するために使用される。
【０２１９】
第３伝送ユニットは更に、第１伝送デバイスに停止命令を送信するように構成される。
【０２２０】
図１３は、本願のある実施形態に係るネットワークデバイスの概略構造図である。ネットワークデバイスは、上述の実施形態に係るデータ伝送方法を実行するように構成される。ネットワークデバイスは送受信機１３０１、プロセッサ１３０２、およびメモリ１３０３を含んでよい。ネットワークデバイスは代替的に、より多いまたはより少ないコンポーネントを含むか、または幾つかのコンポーネントを組み合わせるか、または様々なコンポーネント配置を有してよい。これについては本願で限定しない。
【０２２１】
送受信機１３０１は、異なるネットワークデバイス間の通信伝送を実装する、例えばデータ、シグナリング、または要求メッセージを送信および受信するように構成される受信ユニットおよび伝送ユニットを含む。更に、送受信機１３０１は無線ローカルエリアネットワーク（ｗｉｒｅｌｅｓｓ  ｌｏｃａｌ  ａｒｅａ  ｎｅｔｗｏｒｋ、ＷＬＡＮ）モジュール、Ｂｌｕｅｔｏｏｔｈ（登録商標）モジュール、およびベースバンド（ｂａｓｅ  ｂａｎｄ）モジュールなどの通信モジュール、およびこれらの通信モジュールに対応する無線周波数（ｒａｄｉｏ  ｆｒｅｑｕｅｎｃｙ、ＲＦ）回路を含んで、無線ローカルエリアネットワーク内の通信、Ｂｌｕｅｔｏｏｔｈ通信、赤外線通信、および／またはセルラ通信システム内の通信、例えば広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））および／または高速ダウンリンクパケットアクセス（ｈｉｇｈ  ｓｐｅｅｄ  ｄｏｗｎｌｉｎｋ  ｐａｃｋｅｔ  ａｃｃｅｓｓ、ＨＳＤＰＡ）を実行してよい。送受信機は、ネットワークデバイス内の全てのコンポーネント間の通信を制御するように構成され、ダイレクトメモリアクセス（ｄｉｒｅｃｔ  ｍｅｍｏｒｙ  ａｃｃｅｓｓ）をサポートしてよい。
【０２２２】
プロセッサ１３０２はネットワークデバイスの制御センタであり、様々なインタフェースおよびラインを使用することによりネットワークデバイス全体の様々な部分に接続される。プロセッサ１３０２は、メモリ１３０３に記憶されたソフトウェアプログラムおよび／またはモジュールを起動または実行し、メモリ１３０３に記憶されたデータを呼び出して、ネットワークデバイスの様々な機能を実行する、および／またはデータを処理する。
【０２２３】
更に、プロセッサ１３０２は集積回路（Ｉｎｔｅｇｒａｔｅｄ  Ｃｉｒｃｕｉｔ、ＩＣ）を含んでもよい、例えば単一のパッケージＩＣを含んでもよいし、同じ機能または異なる機能を有する複数の接続されたパッケージＩＣを含んでもよい。例えば、プロセッサ１３０２は中央処理装置（ｃｅｎｔｒａｌ  ｐｒｏｃｅｓｓｉｎｇ  ｕｎｉｔ、ＣＰＵ）のみを含んでもよいし、送受信モジュール内のＧＰＵ、デジタル信号プロセッサ（ｄｉｇｉｔａｌ  ｓｉｇｎａｌ  ｐｒｏｃｅｓｓｏｒ、ＤＳＰ）、および制御チップ（例えばベースバンドチップ）の組み合わせであってもよい。本願の様々な実装において、ＣＰＵは単一のコンピューティングコアであってもよいし、複数のコンピューティングコアを含んでもよい。
【０２２４】
オプションとして、プロセッサ１３０２はビーム調整ユニットおよび処理ユニットを含む。ビーム調整ユニットは、ビーム調整要求を生成するように構成される。処理ユニットは、データフレームを生成すること、データフレームの保護間隔および切り替え間隔内の識別情報の有効性を設定すること、およびデータ移行要求を生成することなどを行うように構成される。
【０２２５】
メモリ１３０３はランダムアクセスメモリ（ｒａｎｄｏｍ  ａｃｃｅｓｓ  ｍｅｍｏｒｙ、ＲＡＭ）などの揮発性メモリ（ｖｏｌａｔｉｌｅ  ｍｅｍｏｒｙ）を含んでもよいし、フラッシュメモリ（ｆｌａｓｈ（登録商標）ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、略してＳＳＤ）などの不揮発性メモリ（ｎｏｎ−ｖｏｌａｔｉｌｅ  ｍｅｍｏｒｙ）を含んでもよい。メモリは代替的に、上述したタイプのメモリの組み合わせを含んでよい。メモリはプログラムまたはコードを記憶してよい。ネットワークデバイス内のプロセッサ１４２は、プログラムまたはコードを実行してネットワークデバイスの機能を実装する。
【０２２６】
上述の実施形態において、図１１に示す第１受信ユニット１１０１および第１伝送ユニット１１０３並びに図１２に示す第２受信ユニット１２０１および第２伝送ユニット１２０３により実装される機能は、ネットワークデバイスの送受信機１３０１により実装されてもよいし、プロセッサ１３０２により制御される送受信機１３０１により実装されてもよい。第１処理ユニット１１０２および第２処理ユニット１２０２により実装される機能はプロセッサ１３０２により実装され得る。メモリ１３０３は、データフレームシーケンス、識別情報、データ移行要求、および履歴データ情報などを記憶するように構成され、更にはデータ伝送およびビーム調整のために必要なデータを提供するように構成され得る。
【０２２７】
特定の実装において、本願は更にコンピュータ記憶媒体を提供する。コンピュータ記憶媒体はプログラムを記憶してよく、プログラムが実行されるときに、本願で提供するデータ伝送方法の実施形態における段階のうちの幾つかまたは全てが実行され得る。記憶媒体は磁気ディスク、光ディスク、ＲＯＭ、またはＲＡＭなどであってよい。
【０２２８】
加えて、上述の実施形態において、ネットワークシステムにおけるデータ伝送のためのこれら２つのネットワークデバイスは、以下に限定されるわけではないが、ノードＢ（ＮｏｄｅＢ）、進化型ノードＢ（ｅＮｏｄｅＢ）、第５世代（５Ｇ）通信システムの基地局、将来の通信システムの基地局またはネットワークデバイス、Ｗｉ‐Ｆｉシステムのアクセスノード、無線中継ノード、無線バックホールノード、およびユーザ機器（ｕｓｅｒ  ｅｑｕｉｐｍｅｎｔ、ＵＥ）を含む、無線の伝送機能および受信機能を有する任意のデバイスであってよい。
【０２２９】
ＵＥは端末ｔｅｒｍｉｎａｌ、移動局（ｍｏｂｉｌｅ  ｓｔａｔｉｏｎ、ＭＳ）、携帯端末（ｍｏｂｉｌｅ  ｔｅｒｍｉｎａｌ、ＭＴ）、リモート端末（ｒｅｍｏｔｅ  ｔｅｒｍｉｎａｌ、ＲＴ）、アクセス端末（ａｃｃｅｓｓ  ｔｅｒｍｉｎａｌ、ＡＴ）、またはユーザエージェント（ｕｓｅｒ  ａｇｅｎｔ、ＵＡ）などと称されてもよい。ＵＥは無線アクセスネットワーク（ｒａｄｉｏ  ａｃｃｅｓｓ  ｎｅｔｗｏｒｋ、ＲＡＮ）を使用することにより１または複数のコアネットワークと通信してもよいし、自己組織化的または無償の方式で分散ネットワークにアクセスしてもよい。ＵＥは代替的に別の通信方式で無線ネットワークにアクセスしてもよいし、別のＵＥと無線通信を直接実行してもよい。これについては本願の本実施形態で限定しない。
【０２３０】
本願の実施形態で提供するデータ伝送方法は、ダウンリンクデータ伝送に適用されてよく、アップリンクデータ伝送に適用されてよく、デバイスツーデバイス（ｄｅｖｉｃｅ  ｔｏ  ｄｅｖｉｃｅ、Ｄ２Ｄ）データ伝送に適用されてもよい。ダウンリンクデータ伝送の場合は、伝送デバイスが基地局であり、対応する受信デバイスがＵＥである。アップリンクデータ伝送の場合は、伝送デバイスがＵＥであり、対応する受信デバイスが基地局である。Ｄ２Ｄデータ伝送の場合は、伝送デバイスがＵＥであり、対応する受信デバイスもＵＥである。これについては本願の実施形態で限定しない。
【０２３１】
加えて、本願は更に、ビーム切り替えおよびデータ伝送に使用される伝送システムを提供する。このシステムは少なくとも２つのネットワークデバイスを含む。各ネットワークデバイスは、図１３に示すネットワークデバイスであってもよいし、図１１に示す伝送デバイスおよび／または図１２に示す受信デバイスを含んでもよい。本願の実施形態１および実施形態２におけるデータ伝送方法を実装するように構成される。
【０２３２】
当業者であれば、本願の実施形態における技術が、必要な汎用ハードウェアプラットフォームに加えてソフトウェアにより実装され得ることを明確に理解することができる。係る理解に基づいて、本願の技術的解決策は基本的に、または、従来技術に寄与する部分は、ソフトウェア製品の形式で実装され得る。コンピュータソフトウェア製品はＲＯＭ／ＲＡＭ、磁気ディスク、または光ディスクなどの記憶媒体に格納され、本願の実施形態または実施形態の幾つかの部分で説明されている方法を実行するようコンピュータデバイス（パーソナルコンピュータ、サーバ、またはネットワークデバイスであってよい）に指示するための幾つかの命令を含む。
【０２３３】
本明細書内の実施形態における同じ部分または同様の部分については、関連する部分を参照されたい。特に、上述した本願の実施形態は基本的に方法の実施形態と同様であるため、簡潔に説明されている。関連する部分については、方法の実施形態における説明を参照されたい。
【０２３４】
上述した本願の実装は本願の保護範囲を限定することを意図するものではない。
【図１ａ】
2021503213.tif 000003
【図１ｂ】
2021503213.tif 000004
【図２】
2021503213.tif 000005
【図３】
2021503213.tif 000006
【図４】
2021503213.tif 000007
【図５】
2021503213.tif 000008
【図６ａ】
2021503213.tif 000009
【図６ｂ】
2021503213.tif 000010
【図６ｃ】
2021503213.tif 000011
【図７ａ】
2021503213.tif 000012
【図７ｂ】
2021503213.tif 000013
【図８ａ】
2021503213.tif 000014
【図８ｂ】
2021503213.tif 000015
【図９】
2021503213.tif 000016
【図１０】
2021503213.tif 000017
【図１１】
2021503213.tif 000018
【図１２】
2021503213.tif 000019
【図１３】
2021503213.tif 000020
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
データ伝送方法であって、
第１伝送デバイスが第１データフレームシーケンスを生成する段階であって、前記第１データフレームシーケンスは第１データフレームを含み、前記第１データフレームは切り替え間隔を含み、前記切り替え間隔は第１識別情報を含み、前記第１データフレームは第１データ周期に対応する、段階と、
前記第１伝送デバイスが、前記第１データ周期内にビーム調整要求が受信されるかどうかを検出し、前記ビーム調整要求が受信される場合に、前記第１データフレームの前記切り替え間隔内の前記第１識別情報を無効に設定する、または、ビーム調整要求が受信されない場合に、前記第１識別情報を有効に設定する段階と、
前記第１伝送デバイスが前記第１データフレームを送信する段階と
を備える方法。
【請求項２】
前記切り替え間隔は第１間隔ヘッダおよび第１ペイロード領域を含み、前記第１識別情報は前記第１間隔ヘッダに配置され、前記第１識別情報は、前記第１識別情報が配置される前記切り替え間隔の前記第１ペイロード領域内のデータの有効性を示すために使用され、
前記第１データフレームを送信する前記段階の前に、前記方法は更に、
前記ビーム調整要求を受信するときに、前記第１伝送デバイスが前記第１データフレームの前記第１ペイロード領域に無効なデータを満たし、前記第１データ周期内にビーム調整を実行する段階、または、
前記第１データ周期内にビーム調整要求を受信しないときに、前記第１データフレームの前記第１ペイロード領域に有効なデータを満たす段階
を備える、
請求項１に記載の方法。
【請求項３】
前記第１データフレームは更に保護間隔を含み、前記保護間隔は第２間隔ヘッダおよび第２ペイロード領域を含み、前記第２間隔ヘッダは第２識別情報を含み、前記第２識別情報は、前記第１データフレームの前記第２ペイロード領域内のデータの有効性を示すために使用され、
前記第１伝送デバイスが前記第１データフレームを送信する前記段階の前に、前記方法は更に、
前記第１データフレーム内の前記第２識別情報の有効性を設定する段階
を備える、
請求項１または２に記載の方法。
【請求項４】
前記第１伝送デバイスが第１ネットワークデバイスに配置され、かつ、前記第１ネットワークデバイスが更に第１受信デバイスを含むときに、前記第１データフレーム内の前記第２識別情報の有効性を設定する前記段階は、
前記第１伝送デバイスが伝送遅延および／または位置情報に基づいて第１対象切り替え間隔を決定することであって、前記第１対象切り替え間隔は前記第１データフレームの前のＮ番目のデータフレームの切り替え間隔であるか、または前記第１データフレームの前記切り替え間隔であり、Ｎ≧１である、決定すること、および、第１データ移行要求が前記第１受信デバイスから受信され、かつ、前記第１対象切り替え間隔内の第１識別情報が有効である場合に、前記第１データフレームの前記保護間隔内の前記第２識別情報を無効に設定すること、そうでなければ、前記第２識別情報を有効に設定することを行う段階、または、
前記第１伝送デバイスが伝送遅延および／または位置情報に基づいて第１対象切り替え間隔を決定することであって、前記第１対象切り替え間隔は前記第１データフレームの前のＮ番目のデータフレームの切り替え間隔であるか、または前記第１データフレームの前記切り替え間隔であり、Ｎ≧１である、決定すること、および、前記第１受信デバイスから受信された第１データ移行要求内の第１データ移行識別子が真であり、かつ、前記第１対象切り替え間隔内の第１識別情報が有効である場合に、前記第１データフレームの前記保護間隔内の前記第２識別情報を無効に設定すること、そうでなければ、前記第２識別情報を有効に設定することを行う段階
を有する、請求項３に記載の方法。
【請求項５】
前記第１データフレーム内の前記第２識別情報が無効であるときに、前記第１伝送デバイスが前記第１データフレームの前記保護間隔の前記第２ペイロード領域に前記第１対象切り替え間隔の第１ペイロード領域内のデータを移行する段階であって、前記第１データフレームの前記第２ペイロード領域の長さは前記第１対象切り替え間隔の前記第１ペイロード領域の長さより長いか等しい、段階
を更に備える請求項４に記載の方法。
【請求項６】
前記第１伝送デバイスが第１ネットワークデバイスに配置され、第２ネットワークデバイスが更に含まれ、かつ、前記第２ネットワークデバイスが第２受信デバイスを含むときに、前記第１データフレーム内の前記第２識別情報の有効性を設定する前記段階は、
前記第２受信デバイスから第２データ移行要求を受信するときに、前記第１伝送デバイスが前記第１データフレーム内の前記第２識別情報を無効に設定し、そうでなければ、前記第２識別情報を有効に設定する段階、または、
第２データ移行要求を受信し、かつ、前記第２データ移行要求に保持される第２データ移行識別子が真であるときに、前記第１伝送デバイスが前記第１データフレーム内の前記第２識別情報を無効に設定し、そうでなければ、前記第２識別情報を有効に設定する段階
を有する、請求項３に記載の方法。
【請求項７】
前記第１データフレーム内の前記第２識別情報が無効であるときに、前記第１伝送デバイスが伝送遅延および／または位置情報に基づいて第１対象切り替え間隔を決定する段階であって、前記第１対象切り替え間隔は前記第１データフレームの前のＮ番目のデータフレームの切り替え間隔であるか、または前記第１データフレームの前記切り替え間隔であり、Ｎ≧１である、段階と、
前記第１データフレームの前記保護間隔の前記第２ペイロード領域に前記第１対象切り替え間隔の第１ペイロード領域内のデータを移行する段階であって、前記第１データフレームの前記第２ペイロード領域の長さは前記第１対象切り替え間隔の前記第１ペイロード領域の長さより長いか等しい、段階と
を更に備える請求項６に記載の方法。
【請求項８】
開始命令を受信するときに、前記第１伝送デバイスが、前記第１データフレームの前記第２ペイロード領域に前記第１対象切り替え間隔の前記第１ペイロード領域内の前記データを移行することから開始して、移行すべきデータを各データフレームに対応する保護間隔の第２ペイロード領域に移行する段階と、
停止命令を受信するときに、前記第１伝送デバイスが次のデータフレームから開始するデータ移行を停止する段階と
を更に備える請求項５または７に記載の方法。
【請求項９】
データ伝送方法であって、
第１受信デバイスが第２データフレームシーケンスを受信する段階であって、前記第２データフレームシーケンスは第２データフレームを含み、前記第２データフレームは切り替え間隔を含み、前記切り替え間隔は第１識別情報を含む、段階と、
前記第１受信デバイスが、前記第２データフレーム内の前記第１識別情報が有効であるかどうかを検出し、前記第１識別情報が無効である場合に、第１データ移行要求を生成する段階と、
前記第１受信デバイスが、第１伝送デバイスに前記第１データ移行要求を送信する段階であって、前記第１伝送デバイスおよび前記第１受信デバイスは第１ネットワークデバイスに配置される、段階と
を備える方法。
【請求項１０】
前記第２データフレーム内の前記第１識別情報が有効であることを前記第１受信デバイスが検出する場合に、ビーム調整要求が受信されるかどうかを前記第２データフレームに対応する第２データ周期内に検出する段階、および、
前記ビーム調整要求が受信される場合に、前記第２データフレームの前記切り替え間隔の第１ペイロード領域内のデータを破棄し、受信されるデータ移行識別子を前記第２データフレームの前記切り替え間隔に設定する段階、または、
ビーム調整要求が受信されない場合に、前記第２データ周期内にデータを受信し続ける段階
を更に備える請求項９に記載の方法。
【請求項１１】
前記第２データフレームは更に保護間隔を含み、前記保護間隔は第２間隔ヘッダおよび第２ペイロード領域を含み、前記第２間隔ヘッダは第２識別情報を含み、前記第２識別情報は、前記第２識別情報が配置される前記保護間隔の前記第２ペイロード領域内のデータの有効性を示すために使用され、
前記方法は更に、
前記第１受信デバイスが、前記第２データフレームの前記保護間隔内の前記第２識別情報が有効であるかどうかを検出する段階、および、
前記第２識別情報が有効である場合に、前記第２データフレームの前記第２ペイロード領域内の前記データを受信する段階、または、
前記第２識別情報が無効である場合に、前記第２データフレームの前記保護間隔の前の全ての切り替え間隔から第２対象切り替え間隔を検索することであって、前記第２対象切り替え間隔は、前記受信されるデータ移行識別子を有し、かつ、時間の観点から前記第２データフレームの前記保護間隔に最も近い切り替え間隔である、検索すること、および、前記第２対象切り替え間隔の第１ペイロード領域に前記第２データフレームの前記第２ペイロード領域内の前記データを移行することを行う段階
を備える、
請求項１０に記載の方法。
【請求項１２】
データ伝送方法であって、
第２受信デバイスが第１データフレームシーケンスを受信する段階であって、前記第１データフレームシーケンスは第１データフレームを含み、前記第１データフレームは切り替え間隔を含み、前記切り替え間隔は第１識別情報を含む、段階と、
前記第１データフレームの前記切り替え間隔内の前記第１識別情報が有効であるかどうかを検出する段階と、
前記第１識別情報が有効である場合に、前記第１データフレームに対応する第１データ周期内にビーム調整要求が受信されるかどうかを検出する段階と、
前記ビーム調整要求が受信される場合に、第２データ移行要求を生成し、第１伝送デバイスに前記第２データ移行要求を送信すること、および、前記第１データフレームの前記切り替え間隔の第１ペイロード領域内のデータを破棄し、受信されるデータ移行識別子を前記第１データフレームの前記切り替え間隔に設定することを行う段階と
を備え、前記第１伝送デバイスは第１ネットワークデバイスに配置され、前記第２受信デバイスは第２ネットワークデバイスに配置される、
方法。
【請求項１３】
前記第１データフレームは更に保護間隔を含み、前記保護間隔は第２間隔ヘッダおよび第２ペイロード領域を含み、前記第２間隔ヘッダは第２識別情報を含み、前記第２識別情報は、前記第１データフレームの前記第２ペイロード領域内のデータの有効性を示すために使用され、
前記方法は更に、
前記第２受信デバイスが、前記第１データフレーム内の前記第２識別情報が有効であるかどうかを検出する段階、および、
前記第２識別情報が有効である場合に、前記第１データフレームの前記第２ペイロード領域内の前記データを受信し続ける段階、または、
前記第２識別情報が無効である場合に、前記第１データフレームの前記保護間隔の前の全ての切り替え間隔から第１対象切り替え間隔を検索することであって、前記第１対象切り替え間隔は、前記受信されるデータ移行識別子を有し、かつ、時間の観点から前記第１データフレームの前記保護間隔に最も近い切り替え間隔である、検索すること、および、前記第１対象切り替え間隔の第１ペイロード領域に前記第１データフレームの前記第２ペイロード領域内の前記データを移行することを行う段階
を備える、
請求項１２に記載の方法。
【請求項１４】
前記第１データフレームが受信された後に少なくとも１つの連続データフレームに対応するデータ周期内に前記第２受信デバイスが前記ビーム調整要求を受信する場合に、開始命令を生成する段階であって、前記開始命令は、継続的なデータ移行操作を実行するよう前記第１伝送デバイスに命令するために使用される、段階と、
前記第２受信デバイスが前記第１伝送デバイスに前記開始命令を送信する段階と、
前記開始命令が生成された後に少なくとも１つの連続データフレームに対応するデータ周期内に前記第２受信デバイスがビーム調整要求を受信しない場合に、停止命令を生成する段階であって、前記停止命令は、前記継続的なデータ移行操作を停止するよう前記第１伝送デバイスに命令するために使用される、段階と、
前記第２受信デバイスが前記第１伝送デバイスに前記停止命令を送信する段階と
を更に備える請求項１３に記載の方法。
【請求項１５】
請求項１から１４のいずれか一項に記載の方法を実行するネットワークデバイス。
【手続補正２】
【補正対象書類名】明細書
【補正対象項目名】０１２７
【補正方法】変更
【補正の内容】
【０１２７】
２番目の方法を使用することにより対象切り替え間隔の数Ｎが計算された後に、対象切り替え間隔の数Ｎと現在の時点との間の時間間隔が伝送遅延の２倍より小さい場合に、現在の繰り返し周期の直前の繰り返し周期における数Ｎに対応する切り替え間隔が対象切り替え間隔として選択され得る。
【手続補正３】
【補正対象書類名】明細書
【補正対象項目名】０２２９
【補正方法】変更
【補正の内容】
【０２２９】
ＵＥは端末（ｔｅｒｍｉｎａｌ）、移動局（ｍｏｂｉｌｅ  ｓｔａｔｉｏｎ、ＭＳ）、携帯端末（ｍｏｂｉｌｅ  ｔｅｒｍｉｎａｌ、ＭＴ）、リモート端末（ｒｅｍｏｔｅ  ｔｅｒｍｉｎａｌ、ＲＴ）、アクセス端末（ａｃｃｅｓｓ  ｔｅｒｍｉｎａｌ、ＡＴ）、またはユーザエージェント（ｕｓｅｒ  ａｇｅｎｔ、ＵＡ）などと称されてもよい。ＵＥは無線アクセスネットワーク（ｒａｄｉｏ  ａｃｃｅｓｓ  ｎｅｔｗｏｒｋ、ＲＡＮ）を使用することにより１または複数のコアネットワークと通信してもよいし、自己組織化的または無償の方式で分散ネットワークにアクセスしてもよい。ＵＥは代替的に別の通信方式で無線ネットワークにアクセスしてもよいし、別のＵＥと無線通信を直接実行してもよい。これについては本願の本実施形態で限定しない。
【手続補正４】
【補正対象書類名】明細書
【補正対象項目名】０２３４
【補正方法】変更
【補正の内容】
【０２３４】
上述した本願の実装は本願の保護範囲を限定することを意図するものではない。
（項目１）
データ伝送方法であって、
第１伝送デバイスが第１データフレームシーケンスを生成する段階であって、上記第１データフレームシーケンスは第１データフレームを含み、上記第１データフレームは切り替え間隔を含み、上記切り替え間隔は第１識別情報を含み、上記第１データフレームは第１データ周期に対応する、段階と、
上記第１伝送デバイスが、上記第１データ周期内にビーム調整要求が受信されるかどうかを検出し、上記ビーム調整要求が受信される場合に、上記第１データフレームの上記切り替え間隔内の上記第１識別情報を無効に設定する、または、ビーム調整要求が受信されない場合に、上記第１識別情報を有効に設定する段階と、
上記第１伝送デバイスが上記第１データフレームを送信する段階と
を備える方法。
（項目２）
上記切り替え間隔は第１間隔ヘッダおよび第１ペイロード領域を含み、上記第１識別情報は上記第１間隔ヘッダに配置され、上記第１識別情報は、上記第１識別情報が配置される上記切り替え間隔の上記第１ペイロード領域内のデータの有効性を示すために使用され、
上記第１データフレームを送信する上記段階の前に、上記方法は更に、
上記ビーム調整要求を受信するときに、上記第１伝送デバイスが上記第１データフレームの上記第１ペイロード領域に無効なデータを満たし、上記第１データ周期内にビーム調整を実行する段階、または、
上記第１データ周期内にビーム調整要求を受信しないときに、上記第１データフレームの上記第１ペイロード領域に有効なデータを満たす段階
を備える、
項目１に記載の方法。
（項目３）
上記第１データフレームは更に保護間隔を含み、上記保護間隔は第２間隔ヘッダおよび第２ペイロード領域を含み、上記第２間隔ヘッダは第２識別情報を含み、上記第２識別情報は、上記第１データフレームの上記第２ペイロード領域内のデータの有効性を示すために使用され、
上記第１伝送デバイスが上記第１データフレームを送信する上記段階の前に、上記方法は更に、
上記第１データフレーム内の上記第２識別情報の有効性を設定する段階
を備える、
項目１に記載の方法。
（項目４）
上記第１伝送デバイスが第１ネットワークデバイスに配置され、かつ、上記第１ネットワークデバイスが更に第１受信デバイスを含むときに、上記第１データフレーム内の上記第２識別情報の有効性を設定する上記段階は、
上記第１伝送デバイスが伝送遅延および／または位置情報に基づいて第１対象切り替え間隔を決定することであって、上記第１対象切り替え間隔は上記第１データフレームの前のＮ番目のデータフレームの切り替え間隔であるか、または上記第１データフレームの上記切り替え間隔であり、Ｎ≧１である、決定すること、および、第１データ移行要求が上記第１受信デバイスから受信され、かつ、上記第１対象切り替え間隔内の第１識別情報が有効である場合に、上記第１データフレームの上記保護間隔内の上記第２識別情報を無効に設定すること、そうでなければ、上記第２識別情報を有効に設定することを行う段階、または、
上記第１伝送デバイスが伝送遅延および／または位置情報に基づいて第１対象切り替え間隔を決定することであって、上記第１対象切り替え間隔は上記第１データフレームの前のＮ番目のデータフレームの切り替え間隔であるか、または上記第１データフレームの上記切り替え間隔であり、Ｎ≧１である、決定すること、および、上記第１受信デバイスから受信された第１データ移行要求内の第１データ移行識別子が真であり、かつ、上記第１対象切り替え間隔内の第１識別情報が有効である場合に、上記第１データフレームの上記保護間隔内の上記第２識別情報を無効に設定すること、そうでなければ、上記第２識別情報を有効に設定することを行う段階
を有する、項目３に記載の方法。
（項目５）
上記第１データフレーム内の上記第２識別情報が無効であるときに、上記第１伝送デバイスが上記第１データフレームの上記保護間隔の上記第２ペイロード領域に上記第１対象切り替え間隔の第１ペイロード領域内のデータを移行する段階であって、上記第１データフレームの上記第２ペイロード領域の長さは上記第１対象切り替え間隔の上記第１ペイロード領域の長さより長いか等しい、段階
を更に備える項目４に記載の方法。
（項目６）
上記第１伝送デバイスが第１ネットワークデバイスに配置され、第２ネットワークデバイスが更に含まれ、かつ、上記第２ネットワークデバイスが第２受信デバイスを含むときに、上記第１データフレーム内の上記第２識別情報の有効性を設定する上記段階は、
上記第２受信デバイスから第２データ移行要求を受信するときに、上記第１伝送デバイスが上記第１データフレーム内の上記第２識別情報を無効に設定し、そうでなければ、上記第２識別情報を有効に設定する段階、または、
第２データ移行要求を受信し、かつ、上記第２データ移行要求に保持される第２データ移行識別子が真であるときに、上記第１伝送デバイスが上記第１データフレーム内の上記第２識別情報を無効に設定し、そうでなければ、上記第２識別情報を有効に設定する段階
を有する、項目３に記載の方法。
（項目７）
上記第１データフレーム内の上記第２識別情報が無効であるときに、上記第１伝送デバイスが伝送遅延および／または位置情報に基づいて第１対象切り替え間隔を決定する段階であって、上記第１対象切り替え間隔は上記第１データフレームの前のＮ番目のデータフレームの切り替え間隔であるか、または上記第１データフレームの上記切り替え間隔であり、Ｎ≧１である、段階と、
上記第１データフレームの上記保護間隔の上記第２ペイロード領域に上記第１対象切り替え間隔の第１ペイロード領域内のデータを移行する段階であって、上記第１データフレームの上記第２ペイロード領域の長さは上記第１対象切り替え間隔の上記第１ペイロード領域の長さより長いか等しい、段階と
を更に備える項目６に記載の方法。
（項目８）
開始命令を受信するときに、上記第１伝送デバイスが、上記第１データフレームの上記第２ペイロード領域に上記第１対象切り替え間隔の上記第１ペイロード領域内の上記データを移行することから開始して、移行すべきデータを各データフレームに対応する保護間隔の第２ペイロード領域に移行する段階と、
停止命令を受信するときに、上記第１伝送デバイスが次のデータフレームから開始するデータ移行を停止する段階と
を更に備える項目５または７に記載の方法。
（項目９）
データ伝送方法であって、
第１受信デバイスが第２データフレームシーケンスを受信する段階であって、上記第２データフレームシーケンスは第２データフレームを含み、上記第２データフレームは切り替え間隔を含み、上記切り替え間隔は第１識別情報を含む、段階と、
上記第１受信デバイスが、上記第２データフレーム内の上記第１識別情報が有効であるかどうかを検出し、上記第１識別情報が無効である場合に、第１データ移行要求を生成する段階と、
上記第１受信デバイスが、第１伝送デバイスに上記第１データ移行要求を送信する段階であって、上記第１伝送デバイスおよび上記第１受信デバイスは第１ネットワークデバイスに配置される、段階と
を備える方法。
（項目１０）
上記第２データフレーム内の上記第１識別情報が有効であることを上記第１受信デバイスが検出する場合に、ビーム調整要求が受信されるかどうかを上記第２データフレームに対応する第２データ周期内に検出する段階、および、
上記ビーム調整要求が受信される場合に、上記第２データフレームの上記切り替え間隔の第１ペイロード領域内のデータを破棄し、受信されるデータ移行識別子を上記第２データフレームの上記切り替え間隔に設定する段階、または、
ビーム調整要求が受信されない場合に、上記第２データ周期内にデータを受信し続ける段階
を更に備える項目９に記載の方法。
（項目１１）
上記第２データフレームは更に保護間隔を含み、上記保護間隔は第２間隔ヘッダおよび第２ペイロード領域を含み、上記第２間隔ヘッダは第２識別情報を含み、上記第２識別情報は、上記第２識別情報が配置される上記保護間隔の上記第２ペイロード領域内のデータの有効性を示すために使用され、
上記方法は更に、
上記第１受信デバイスが、上記第２データフレームの上記保護間隔内の上記第２識別情報が有効であるかどうかを検出する段階、および、
上記第２識別情報が有効である場合に、上記第２データフレームの上記第２ペイロード領域内の上記データを受信する段階、または、
上記第２識別情報が無効である場合に、上記第２データフレームの上記保護間隔の前の全ての切り替え間隔から第２対象切り替え間隔を検索することであって、上記第２対象切り替え間隔は、上記受信されるデータ移行識別子を有し、かつ、時間の観点から上記第２データフレームの上記保護間隔に最も近い切り替え間隔である、検索すること、および、上記第２対象切り替え間隔の第１ペイロード領域に上記第２データフレームの上記第２ペイロード領域内の上記データを移行することを行う段階
を備える、
項目１０に記載の方法。
（項目１２）
データ伝送方法であって、
第２受信デバイスが第１データフレームシーケンスを受信する段階であって、上記第１データフレームシーケンスは第１データフレームを含み、上記第１データフレームは切り替え間隔を含み、上記切り替え間隔は第１識別情報を含む、段階と、
上記第１データフレームの上記切り替え間隔内の上記第１識別情報が有効であるかどうかを検出する段階と、
上記第１識別情報が有効である場合に、上記第１データフレームに対応する第１データ周期内にビーム調整要求が受信されるかどうかを検出する段階と、
上記ビーム調整要求が受信される場合に、第２データ移行要求を生成し、第１伝送デバイスに上記第２データ移行要求を送信すること、および、上記第１データフレームの上記切り替え間隔の第１ペイロード領域内のデータを破棄し、受信されるデータ移行識別子を上記第１データフレームの上記切り替え間隔に設定することを行う段階と
を備え、上記第１伝送デバイスは第１ネットワークデバイスに配置され、上記第２受信デバイスは第２ネットワークデバイスに配置される、
方法。
（項目１３）
上記第１データフレームは更に保護間隔を含み、上記保護間隔は第２間隔ヘッダおよび第２ペイロード領域を含み、上記第２間隔ヘッダは第２識別情報を含み、上記第２識別情報は、上記第１データフレームの上記第２ペイロード領域内のデータの有効性を示すために使用され、
上記方法は更に、
上記第２受信デバイスが、上記第１データフレーム内の上記第２識別情報が有効であるかどうかを検出する段階、および、
上記第２識別情報が有効である場合に、上記第１データフレームの上記第２ペイロード領域内の上記データを受信し続ける段階、または、
上記第２識別情報が無効である場合に、上記第１データフレームの上記保護間隔の前の全ての切り替え間隔から第１対象切り替え間隔を検索することであって、上記第１対象切り替え間隔は、上記受信されるデータ移行識別子を有し、かつ、時間の観点から上記第１データフレームの上記保護間隔に最も近い切り替え間隔である、検索すること、および、上記第１対象切り替え間隔の第１ペイロード領域に上記第１データフレームの上記第２ペイロード領域内の上記データを移行することを行う段階
を備える、
項目１２に記載の方法。
（項目１４）
上記第１データフレームが受信された後に少なくとも１つの連続データフレームに対応するデータ周期内に上記第２受信デバイスが上記ビーム調整要求を受信する場合に、開始命令を生成する段階であって、上記開始命令は、継続的なデータ移行操作を実行するよう上記第１伝送デバイスに命令するために使用される、段階と、
上記第２受信デバイスが上記第１伝送デバイスに上記開始命令を送信する段階と、
上記開始命令が生成された後に少なくとも１つの連続データフレームに対応するデータ周期内に上記第２受信デバイスがビーム調整要求を受信しない場合に、停止命令を生成する段階であって、上記停止命令は、上記継続的なデータ移行操作を停止するよう上記第１伝送デバイスに命令するために使用される、段階と、
上記第２受信デバイスが上記第１伝送デバイスに上記停止命令を送信する段階と
を更に備える項目１３に記載の方法。
（項目１５）
第１伝送デバイスを備えるネットワークデバイスであって、
上記第１伝送デバイスは第１処理ユニットおよび第１伝送ユニットを有し、
上記第１処理ユニットは、第１データフレームシーケンスを生成するように構成され、上記第１データフレームシーケンスは第１データフレームを含み、上記第１データフレームは切り替え間隔を含み、上記切り替え間隔は第１識別情報を含み、上記第１データフレームは第１データ周期に対応し、
上記第１処理ユニットは更に、上記第１データ周期内にビーム調整要求が受信されるかどうかを検出し、上記ビーム調整要求が受信される場合に、上記第１データフレームの上記切り替え間隔内の上記第１識別情報を無効に設定する、または、ビーム調整要求が受信されない場合に、上記第１識別情報を有効に設定するように構成され、
上記第１伝送ユニットは、上記第１データフレームを送信するように構成される、
ネットワークデバイス。
（項目１６）
上記切り替え間隔は第１間隔ヘッダおよび第１ペイロード領域を含み、上記第１識別情報は上記第１間隔ヘッダに配置され、上記第１識別情報は、上記第１識別情報が配置される上記切り替え間隔の上記第１ペイロード領域内のデータの有効性を示すために使用され、
上記第１処理ユニットは更に、上記第１データフレームが送信される前に、上記ビーム調整要求を受信するときに、上記第１データフレームの上記第１ペイロード領域に無効なデータを満たし、上記第１データ周期内にビーム調整を実行する、または、上記第１データ周期内にビーム調整要求を受信しないときに、上記第１データフレームの上記第１ペイロード領域に有効なデータを満たすように構成される、
項目１５に記載のネットワークデバイス。
（項目１７）
上記第１データフレームは更に保護間隔を含み、上記保護間隔は第２間隔ヘッダおよび第２ペイロード領域を含み、上記第２間隔ヘッダは第２識別情報を含み、上記第２識別情報は、上記第１データフレームの上記第２ペイロード領域内のデータの有効性を示すために使用され、
上記第１処理ユニットは更に、上記第１データフレームが送信される前に、上記第１データフレーム内の上記第２識別情報の有効性を設定するように構成される、
項目１５に記載のネットワークデバイス。
（項目１８）
上記ネットワークデバイスは更に第１受信デバイスを備え、上記第１伝送デバイスは更に第１受信ユニットを有し、
上記第１処理ユニットは具体的に、伝送遅延および／または位置情報に基づいて第１対象切り替え間隔を決定すること、および、上記第１受信ユニットが上記第１受信デバイスから第１データ移行要求を受信し、かつ、上記第１対象切り替え間隔内の第１識別情報が有効である場合に、上記第１データフレームの上記保護間隔内の上記第２識別情報を無効に設定すること、そうでなければ、上記第２識別情報を有効に設定することを行うように構成され、上記第１対象切り替え間隔は上記第１データフレームの前のＮ番目のデータフレームの切り替え間隔であるか、または上記第１データフレームの上記切り替え間隔であり、Ｎ≧１である、または、
上記第１処理ユニットは具体的に、伝送遅延および／または位置情報に基づいて第１対象切り替え間隔を決定すること、および、上記第１受信ユニットにより上記第１受信デバイスから受信される第１データ移行要求内の第１データ移行識別子が真であり、かつ、上記第１対象切り替え間隔内の第１識別情報が有効である場合に、上記第１データフレームの上記保護間隔内の上記第２識別情報を無効に設定すること、そうでなければ、上記第２識別情報を有効に設定することを行うように構成され、上記第１対象切り替え間隔は上記第１データフレームの前のＮ番目のデータフレームの切り替え間隔であるか、または上記第１データフレームの上記切り替え間隔であり、Ｎ≧１である、
項目１７に記載のネットワークデバイス。
（項目１９）
上記第１処理ユニットは更に、上記第１データフレーム内の上記第２識別情報が無効であるときに、上記第１データフレームの上記保護間隔の上記第２ペイロード領域に上記第１対象切り替え間隔の第１ペイロード領域内のデータを移行するように構成され、上記第１データフレームの上記第２ペイロード領域の長さは上記第１対象切り替え間隔の上記第１ペイロード領域の長さより長いか等しい、
項目１８に記載のネットワークデバイス。
（項目２０）
上記第１伝送デバイスは更に第１受信ユニットを含み、
上記第１処理ユニットは具体的に、
上記第１受信ユニットが第２受信デバイスから第２データ移行要求を受信するときに、上記第１データフレーム内の上記第２識別情報を無効に設定し、そうでなければ、上記第２識別情報を有効に設定する、または、
上記第１受信ユニットが第２データ移行要求を受信し、かつ、上記第２データ移行要求に保持される第２データ移行識別子が真であるときに、上記第１データフレーム内の上記第２識別情報を無効に設定し、そうでなければ、上記第２識別情報を有効に設定する
ように構成される、
項目１７に記載のネットワークデバイス。
（項目２１）
上記第１処理ユニットは更に、上記第１データフレーム内の上記第２識別情報が無効であるときに、伝送遅延および／または位置情報に基づいて第１対象切り替え間隔を決定することであって、上記第１対象切り替え間隔は上記第１データフレームの前のＮ番目のデータフレームの切り替え間隔であるか、または上記第１データフレームの上記切り替え間隔であり、Ｎ≧１である、決定すること、および、上記第１データフレームの上記保護間隔の上記第２ペイロード領域に上記第１対象切り替え間隔の第１ペイロード領域内のデータを移行することであって、上記第１データフレームの上記第２ペイロード領域の長さは上記第１対象切り替え間隔の上記第１ペイロード領域の長さより長いか等しい、移行することを行うように構成される、
項目２０に記載のネットワークデバイス。
（項目２２）
上記第１受信ユニットは更に開始命令および停止命令を受信するように構成され、
上記第１処理ユニットは更に、上記開始命令が受信されるときに、上記第１データフレームの上記第２ペイロード領域に上記第１対象切り替え間隔の上記第１ペイロード領域内の上記データを移行することから開始して、移行すべきデータを各データフレームに対応する保護間隔の第２ペイロード領域に移行すること、および、上記停止命令を受信するときに、次のデータフレームから開始するデータ移行を停止することを行うように構成される、
項目１９または２１に記載のネットワークデバイス。
（項目２３）
第１伝送デバイスと第１受信デバイスとを備えるネットワークデバイスであって、
上記第１受信デバイスは第２受信ユニット、第２処理ユニット、および第２伝送ユニットを有し、
上記第２受信ユニットは、第２データフレームシーケンスを受信するように構成され、上記第２データフレームシーケンスは第２データフレームを含み、上記第２データフレームは切り替え間隔を含み、上記切り替え間隔は第１識別情報を含み、
上記第２処理ユニットは、上記第２データフレーム内の上記第１識別情報が有効であるかどうかを検出し、上記第１識別情報が無効である場合に、第１データ移行要求を生成するように構成され、
上記第２伝送ユニットは、上記第１伝送デバイスに上記第１データ移行要求を送信するように構成される、
ネットワークデバイス。
（項目２４）
上記第２処理ユニットは更に、上記第２データフレーム内の上記第１識別情報が有効である場合に、ビーム調整要求が受信されるかどうかを上記第２データフレームに対応する第２データ周期内に検出すること、および、上記ビーム調整要求が受信される場合に、上記第２データフレームの上記切り替え間隔の第１ペイロード領域内のデータを破棄し、受信されるデータ移行識別子を上記第２データフレームの上記切り替え間隔に設定すること、または、ビーム調整要求が受信されない場合に、上記第２データ周期内にデータを受信し続けることを行うように構成される、
項目２３に記載のネットワークデバイス。
（項目２５）
上記第２データフレームは更に保護間隔を含み、上記保護間隔は第２間隔ヘッダおよび第２ペイロード領域を含み、上記第２間隔ヘッダは第２識別情報を含み、上記第２識別情報は、上記第２識別情報が配置される上記保護間隔の上記第２ペイロード領域内のデータの有効性を示すために使用され、
上記第２処理ユニットは更に、上記第２データフレームの上記保護間隔内の上記第２識別情報が有効であるかどうかを検出すること、および、上記第２識別情報が有効である場合に、上記第２受信ユニットを使用することにより上記第２データフレームの上記第２ペイロード領域内の上記データを受信すること、または、上記第２識別情報が無効である場合に、上記第２データフレームの上記保護間隔の前の全ての切り替え間隔から第２対象切り替え間隔を検索することであって、上記第２対象切り替え間隔は、上記受信されるデータ移行識別子を有し、かつ、時間の観点から上記第２データフレームの上記保護間隔に最も近い切り替え間隔である、検索すること、および、上記第２対象切り替え間隔の第１ペイロード領域に上記第２データフレームの上記第２ペイロード領域内の上記データを移行することを行うように構成される、
項目２４に記載のネットワークデバイス。
（項目２６）
第２伝送デバイスと第２受信デバイスとを備えるネットワークデバイスであって、
上記第２受信デバイスは第３受信ユニット、第３処理ユニット、および第３伝送ユニットを有し、
上記第３受信ユニットは、第１データフレームシーケンスを受信するように構成され、上記第１データフレームシーケンスは第１データフレームを含み、上記第１データフレームは切り替え間隔を含み、上記切り替え間隔は第１識別情報を含み、
上記第３処理ユニットは、上記第１データフレームの上記切り替え間隔内の上記第１識別情報が有効であるかどうかを検出すること、上記第１識別情報が有効である場合に、上記第１データフレームに対応する第１データ周期内にビーム調整要求が受信されるかどうかを検出すること、および、上記ビーム調整要求が受信される場合に、第２データ移行要求を生成し、上記第１データフレームの上記切り替え間隔の第１ペイロード領域内のデータを破棄し、受信されるデータ移行識別子を上記第１データフレームの上記切り替え間隔に設定することを行うように構成され、
上記第３伝送ユニットは、上記第１伝送デバイスに上記第２データ移行要求を送信するように構成される、
ネットワークデバイス。
（項目２７）
上記第１データフレームは更に保護間隔を含み、上記保護間隔は第２間隔ヘッダおよび第２ペイロード領域を含み、上記第２間隔ヘッダは第２識別情報を含み、上記第２識別情報は、上記第１データフレームの上記第２ペイロード領域内のデータの有効性を示すために使用され、
上記第３処理ユニットは更に、上記第１データフレーム内の上記第２識別情報が有効であるかどうかを検出すること、および、上記第２識別情報が有効である場合に、上記第３受信ユニットを使用することにより上記第１データフレームの上記第２ペイロード領域内の上記データを受信し続けること、または、上記第２識別情報が無効である場合に、上記第１データフレームの上記保護間隔の前の全ての切り替え間隔から第１対象切り替え間隔を検索することであって、上記第１対象切り替え間隔は、上記受信されるデータ移行識別子を有し、かつ、時間の観点から上記第１データフレームの上記保護間隔に最も近い切り替え間隔である、検索すること、および、上記第１対象切り替え間隔の第１ペイロード領域に上記第１データフレームの上記第２ペイロード領域内の上記データを移行することを行うように構成される、
項目２６に記載のネットワークデバイス。
（項目２８）
上記第３処理ユニットは更に、上記第１データフレームが受信された後に少なくとも１つの連続データフレームに対応するデータ周期内に上記ビーム調整要求が受信される場合に、開始命令を生成することであって、上記開始命令は、継続的なデータ移行操作を実行するよう上記第１伝送デバイスに命令するために使用される、生成すること、および、上記開始命令が生成された後に少なくとも１つの連続データフレームに対応するデータ周期内にビーム調整要求が受信されない場合に、停止命令を生成することであって、上記停止命令は、上記継続的なデータ移行操作を停止するよう上記第１伝送デバイスに命令するために使用される、生成することを行うように構成され、
上記第３伝送ユニットは更に、上記第１伝送デバイスに上記開始命令および上記停止命令を送信するように構成される、
項目２７に記載のネットワークデバイス。
【国際調査報告】
2021503213.tif 000021
2021503213.tif 000022
2021503213.tif 000023
2021503213.tif 000024